(57)【要約】【課題】鴨居や横桟等が存在せず開口部の全てを開放し得る引き戸の案内構造。【解決手段】壁Ｂに沿って引き込まれるように備えられて開口部Ｃの開け閉めをする引き戸Ａ、又は、壁Ｂ内に引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成する。【選択図】図１
2008208683.tif 000002
【特許請求の範囲】
【請求項１】
壁に沿って引き込まれるように備えられて開口部の開け閉めをする引き戸、又は、壁内に引き込まれるように備えられて開口部の開け閉めをする引き戸の案内構造であって、
前記引き込まれる引き戸の側方にある前記開口部側の壁部に、当該引き戸を開け閉め方向に案内する当該開け閉め方向に長いガイド部を備える固定ガイド部材が設けてあると共に、
前記引き戸に、溝向きを当該引き戸における開け閉め動作方向にした溝状ガイド部が設けてあり、
この溝状ガイド部に固定ガイド部材のガイド部を受け入れて当該引き戸により前記開口部の開け閉めをなし得るようにしてあることを特徴とする引き戸の案内構造。
【請求項２】
前記溝状ガイド部が、溝向きを当該引き戸における開け閉め動作方向にしたガイド溝と、このガイド溝に、前記ガイド部を受け入れる支承溝を備えるスライダーを移動可能に組み付けた可動ガイド部材を備えており、
この可動ガイド部材のスライダーが、前記固定ガイド部材におけるガイド部をがたなく受け入れる支承溝を長さ方向に備える樋状ガイド部と、当該樋状ガイド部の一端側に当該樋状ガイド部から側方に張り出す張出部を備える頭部とを有していると共に、
前記可動ガイド部材のガイド溝が、前記引き戸の前記開口部に向けた引き出しに際して引き出し頭側となる側から、引き出し尻側に向けて備えられている当該引き出し頭側で塞がれた幅広ガイド溝部と、当該幅広ガイド溝部に連通して該幅広ガイド溝部の引き出し尻側から、当該引き戸における引き出し尻側に向けて備えられている幅狭ガイド溝部とを備えており、
前記スライダーにおける前記頭部を幅広ガイド溝部に当該幅広ガイド溝部における幅側においてほぼがた無く納め入れてあると共に、当該幅広ガイド溝部内にある前記頭部の移動に伴って移動される当該スライダーの前記樋状ガイド部が前記幅狭ガイド溝部にほぼがた無く納め入れ状態に支承されており、
前記引き戸が、前記スライダーの樋状ガイド部を前記幅狭ガイド溝部に支承状態で前記開口部を開き出し得ると共に、前記固定ガイド部材のガイド部を樋状ガイド部の支承溝に受け入れた状態で当該開口部を閉じ込み得るようにしてあることを特徴とする請求項１に記載の引き戸の案内構造。
【請求項３】
前記開口部が床部と天井側とにわたるように設けてあり、当該開口部を、天井側に移動可能に吊り下げ設置されている上側引き戸と、床部に備えられる案内手段で案内されるように当該上側引き戸の下方に備えられて当該上側引き戸と共に当該開口部を閉じ込む下側引き戸とで閉じ込み得るようにしてあると共に、当該開口部が上側引き戸で閉じ込まれた際に、当該上側引き戸の下方が通路用開口部をなすようにしてあり、
しかも、前記上側引き戸における下部側と、下側引き戸における上部側とに、それぞれ前記溝状ガイド部が設けてあり、
当該各引き戸の側方にある前記開口部側の壁部にそれぞれ固定ガイド部材が設けてあって、
当該各固定ガイド部材におけるガイド部が、当該各固定ガイド部材に対応して備えられている引き戸における溝状ガイド部に受け入れられて前記各引き戸を前記開口部の開け閉め方向に移動し得るようにしてあることを特徴とする請求項１又は請求項２に記載の引き戸の案内構造。
【請求項４】
前記上側引き戸の下側端面部及び下側引き戸の上側端面部の互いに向き合っている面部の一方に、他方面部に備えられている溝に入り込む遮光板が、当該引き戸の横幅のほぼ全幅にわたるように備えてあることを特徴とする請求項３に記載の引き戸の案内構造。
【請求項５】
前記上側引き戸の下側端部及び下側引き戸の上側端部に、当該引き戸の厚幅方向で互いに向き合うように重なりあう突き出し縁部が、当該各引き戸の横幅のほぼ全幅にわたるように備えられていることを特徴とする請求項３に記載の引き戸の案内構造。
【請求項６】
前記開口部を閉じる向きに引き出される引き戸の引き出し頭側と、当該引き出し頭側の接する開口部の枠部の互いに向き合う面部の一方に永久磁石を備える吸着具が、他方に当該吸着具に吸着される被吸着具が備えられていることを特徴とする請求項１、請求項２、請求項３、請求項４又は請求項５に記載の引き戸の案内構造。
【発明の詳細な説明】
【技術分野】
【０００１】
この発明は、住宅等の建築物における各開口部の開け閉めに用いられる引き戸の案内構造、より具体的には、床部から天井部までが一連に開口部されている鴨居等を備えていない開口部の開け閉めに用いられる引き戸の案内構造の提供に関する。
【背景技術】
【０００２】
通例、居室、リビングルーム、ダイニングルーム、チッキン、サニタリールーム、玄関フロアー、廊下等の住宅等における各空間の仕切り部分の開口部に備えられるドアは、当該開口部の意匠性を高める目的や採光、換気等の目的で、当該ドアの上方に欄間を備えつける構成とすることがある。
【０００３】
かかるドアを備える開口部は、このドアの備え付けられる開口枠の上方に欄間用の開口枠を設け、この欄間用の開口枠に欄間を備え付けるようにしてあった。
【０００４】
かかるドアの上方に欄間を備える開口部にあっては、当該ドアと欄間との間に横桟材が露出しており、ドアと欄間とが明確に区分された意匠的外観を呈する不具合があり、また、当該ドア及び欄間を開き出した際にも、この各開き出されたドアと欄間との間を前記横桟材が仕切って上下に二分された態様の開口部とされる不具合があった。
【０００５】
また、通例、居室、リビングルーム、ダイニングルーム、チッキン、サニタリールーム、玄関フロアー、廊下等の住宅等における各空間の仕切り部分の開口部に備えられる引き戸は、当該開口部の意匠性を高める目的や採光、換気等の目的で、当該引き戸の上方に欄間を備えつける構成とすることがある。
【０００６】
かかる引き戸の上方に備えられる欄間は、通例、引き戸の鴨居上に当該引き戸に対応するように備え付けるようにしてあった。
【０００７】
かかる引き戸の上方に備えられる鴨居は、当該引き戸及び欄間を意匠的に一連に構成しようとする際に、これを阻害することがあり、また、当該引き戸と欄間とを共に開きだした際にあっても、当該開口部を上下に二分し、一連に連続する開口部の構成を困難にしていた。
【０００８】
かかる点から、建屋の躯体に設けられる縦長門状の枠体と、この枠体内に開閉可能に設けられたドアと、このドアの上部に位置して前記枠体内に形成される欄間と、前記枠体に取付金具を介して俯仰動可能に設けられ、前記欄間を開閉する欄間板とを備えるドア一体型の欄間構造が提案されている（特許文献１）。
【０００９】
【特許文献１】実用新案登録第３０７０８１８号登録実用新案公報
【発明の開示】
【発明が解決しようとする課題】
【００１０】
かかる特許文献１に開示されたドア一体型の欄間構造にあっては、ドアと欄間との間に仕切材が存在せず、前記従来の欄間付ドアや欄間付引き戸における不具合を解消し、ドアと共に欄間板を開放した際に、床面から天井近くまで開口した一体の空間を構成することができ、室内に特有の開放感をもたらすと共に、当該開口を通して比較的大きな物品の移動を可能とする特長を備えている。
【００１１】
しかしながら、この特許文献１に記載のドア一体型欄間構造は、ドアの備え付けに伴う不具合、例えば、ドアを都合よく開閉し得る大きさの空間等の、ドア設置のための各種条件を備えている必要があり、比較的狭い操作スペースで開口部の開閉をなす必要のある場合や、車椅子等によって開口部を出入りする必要のある場合等には不向きであった。
【００１２】
また、この特許文献１に記載のドア一体型欄間構造にあっては、欄間板の下端側を矢示方向に押し出すことにより、連結アーム片は一端側を支点にして回転され、同時に連結スライド駒が固定ガイド片を摺勤しながら降下する繕果、欄間板は上端側が降下し、下端側が上昇して、当該欄間空間の途中において、当該欄間空間を開き出すように構成されており、当該ドア及び欄間板を備える枠体内の全てを解放し得ないものであった。
【００１３】
この発明は、かかる従来の開口部の開け閉め構造における不具合を解消し、開口部を動作スペースの少ない引き戸で開閉するようになすと共に、鴨居や横桟等が存在せず、必要に応じて、開口部の全てを開放し得るようにした引き戸の案内構造の提供を目的としている。
【課題を解決するための手段】
【００１４】
この発明は、前記課題を解決するために、壁に沿って引き込まれるように備えられて開口部の開け閉めをする引き戸、又は、壁内に引き込まれるように備えられて開口部の開け閉めをする引き戸の案内構造であって、
前記引き込まれる引き戸の側方にある前記開口部側の壁部に、当該引き戸を開け閉め方向に案内する当該開け閉め方向に長いガイド部を備える固定ガイド部材が設けてあると共に、
前記引き戸に、溝向きを当該引き戸における開け閉め動作方向にした溝状ガイド部が設けてあり、
この溝状ガイド部に固定ガイド部材のガイド部を受け入れて当該引き戸により前記開口部の開け閉めをなし得るようにしてあることを特徴とする引き戸の案内構造としてある。
【００１５】
かかる引き戸の案内構造によれば、開口部に鴨居等を設けること無く、円滑に、かつ、確実に、引き戸を当該開口部を開け閉めするように、ぶれなく動作させることができる。
【００１６】
また、かかる引き戸の案内構造によれば、引き戸を引き込んで開口部を開き出した際に、当該開口部を仕切る鴨居等が一切無いことから、当該開口部で連続されている居室、リビングルーム、ダイニングルーム、チッキン、サニタリールーム、玄関フロアー、廊下等の住宅等における各空間が一連に連続した態様に構成することができ、住宅等の内部空間を広い内部空間として認識させることができる。
【００１７】
また、前記構成に係る引き戸の案内構造にあって、前記溝状ガイド部が、溝向きを当該引き戸における開け閉め動作方向にしたガイド溝と、このガイド溝に、前記ガイド部を受け入れる支承溝を備えるスライダーを移動可能に組み付けた可動ガイド部材を備えており、
この可動ガイド部材のスライダーが、前記固定ガイド部材におけるガイド部をがたなく受け入れる支承溝を長さ方向に備える樋状ガイド部と、当該樋状ガイド部の一端側に当該樋状ガイド部から側方に張り出す張出部を備える頭部とを有していると共に、
前記可動ガイド部材のガイド溝が、前記引き戸の前記開口部に向けた引き出しに際して引き出し頭側となる側から、引き出し尻側に向けて備えられている当該引き出し頭側で塞がれた幅広ガイド溝部と、当該幅広ガイド溝部に連通して該幅広ガイド溝部の引き出し尻側から、当該引き戸における引き出し尻側に向けて備えられている幅狭ガイド溝部とを備えており、
前記スライダーにおける前記頭部を幅広ガイド溝部に当該幅広ガイド溝部における幅側においてほぼがた無く納め入れてあると共に、当該幅広ガイド溝部内にある前記頭部の移動に伴って移動される当該スライダーの前記樋状ガイド部が前記幅狭ガイド溝部にほぼがた無く納め入れ状態に支承されており、
前記引き戸が、前記スライダーの樋状ガイド部を前記幅狭ガイド溝部に支承状態で前記開口部を開き出し得ると共に、前記固定ガイド部材のガイド部を樋状ガイド部の支承溝に受け入れた状態で当該開口部を閉じ込み得るようにしてあることを特徴とする引き戸の案内構造では、さらに、開口部に鴨居等を設けること無く、円滑に、かつ、確実に、引き戸を当該開口部を開け閉めするように、ぶれなく動作させることができる。また、引き戸を引き込んで開口部を開き出した際に、当該開口部を仕切る鴨居等が一切無いことから、当該開口部で連続されている居室、リビングルーム、ダイニングルーム、チッキン、サニタリールーム、玄関フロアー、廊下等の住宅等における各空間が一連に連続した態様に構成することができ、住宅等の内部空間を広い内部空間として認識させることができる。
【００１８】
また、前記構成に係る引き戸の案内構造にあって、前記開口部が床部と天井側とにわたるように設けてあり、当該開口部を、天井側に移動可能に吊り下げ設置されている上側引き戸と、床部に備えられる案内手段で案内されるように当該上側引き戸の下方に備えられて当該上側引き戸と共に当該開口部を閉じ込む下側引き戸とで閉じ込み得るようにしてあると共に、当該開口部が上側引き戸で閉じ込まれた際に、当該上側引き戸の下方が通路用開口部をなすようにしてあり、
しかも、前記上側引き戸における下部側と、下側引き戸における上部側とに、それぞれ前記溝状ガイド部が設けてあり、
当該各引き戸の側方にある前記開口部側の壁部にそれぞれ固定ガイド部材が設けてあって、
当該各固定ガイド部材におけるガイド部が、当該各固定ガイド部材に対応して備えられている引き戸における溝状ガイド部に受け入れられて前記各引き戸を前記開口部の開け閉め方向に移動し得るようにしてあることを特徴とする引き戸の案内構造にあっては、前記特長に併せて、前記開口部を上側引き戸と下側引き戸とで閉じ込み得ると共に、下側引き戸及び上側引き戸を引き込むことで鴨居等の存在しない一連に連続して開き出された開口部を構成することができる。また、下側引き戸のみを引き込んで開口部の下部側のみを開きだし、又は、上側引き戸のみを引き込んで開口部の上部側のみを開き出し状態にして用いることができる。
【００１９】
また、前記構成に係る引き戸の案内構造にあって、前記上側引き戸の下側端面部及び下側引き戸の上側端面部の互いに向き合っている面部の一方に、他方面部に備えられている溝に入り込む遮光板が、当該引き戸の横幅のほぼ全幅にわたるように備えてあることを特徴とする引き戸の案内構造では、開口部を閉じ込むように引き出された下側引き戸と上側引き戸との間からの光り漏れを効果的に防ぐことができ、下側引き戸と上側引き戸間における気密性を高めることができる。
【００２０】
また、前記構成に係る引き戸の案内構造にあって、前記上側引き戸の下側端部及び下側引き戸の上側端部に、当該引き戸の厚幅方向で互いに向き合うように重なりあう突き出し縁部が、当該各引き戸の横幅のほぼ全幅にわたるように備えられていることを特徴とする引き戸の案内構造では、開口部を閉じ込むように引き出された下側引き戸と上側引き戸との間からの光り漏れを効果的に防ぐことができ、下側引き戸と上側引き戸間における気密性を高めることができる。
【００２１】
また、前記構成に係る引き戸の案内構造にあって、前記開口部を閉じる向きに引き出される引き戸の引き出し頭側と、当該引き出し頭側の接する開口部の枠部の互いに向き合う面部の一方に永久磁石を備える吸着具が、他方に当該吸着具に吸着される被吸着具が備えられていることを特徴とする引き戸の案内構造では、
開口部を閉じ込んだ引き戸が当該閉じ込み状態を安定に維持することができる。
【発明の効果】
【００２２】
かかる構成からなる引き戸の案内構造によって、居室、リビングルーム、ダイニングルーム、チッキン、サニタリールーム、玄関フロアー、廊下等の住宅等における各空間を連通させる開口部を、鴨居や横桟等を備えない態様で、引き戸で開け閉めでき、これらの各空間を連通させる開口部において、連通される各空間が一連に連続した状態の開口状態とすることができ、住宅等の内部空間を広く感じさせることができる。
【発明を実施するための最良の形態】
【００２３】
以下、図１〜図３９にもとづいて、この発明を実施するための最良の形態に係る引き戸Ａの案内構造について説明する。
【００２４】
なお、ここで図１〜図７は当該発明を実施するための最良の形態に係る第１の引き戸Ａの案内構造を、図８は当該発明を実施するための最良の形態に係る第２の引き戸Ａの案内構造を、図９〜図１８は当該発明を実施するための最良の形態に係る第３の引き戸Ａの案内構造を、図１９〜図２５は当該発明を実施するために最良の形態に係る第４の引き戸Ａの案内構造を、図２６〜図３２は当該発明を実施するための最良の形態に係る第５の引き戸Ａの案内構造を、図３３〜図３９は当該発明を実施するための最良の形態に係る第６の引き戸Ａの案内構造を示している。
【００２５】
図１〜図７は、第１の典型的な引き戸Ａの案内構造を示すものであって、図１は、開口部Ｃを開いている状態における当該引き戸Ａを正面側から見て、図２では、これを上側引き戸Ａ’を取り外した状態で水平向きで断面して下方を見て、図３では、下側引き戸Ａ”を開口部Ｃを閉じ込む向きに移動仕切った状態を同様に断面して下方を見て示している。図４では、上側引き戸Ａ’及び下側引き戸Ａ”で開口部Ｃを閉じている状態を壁Ｂ位置で縦向きに断面して各引き戸Ａ側を見て示している。図５は、壁Ｂに備えられている固定ガイド部材１０のガイド部１１を、上側引き戸Ａ’及び下側引き戸Ａ”における溝状ガイド部Ｈに案内させている状態の要部を縦向きに断面して側方から見て、図６は、当該開口部Ｃの開け閉めに用いられる下側引き戸Ａ”における上部側部材の要部部品を分離して、その主要部を斜め上方から、図７では、この下側引き戸Ａ”と共に開口部Ｃを閉じ込む上側引き戸Ａ’の下部側部材の要部部品を分離して、その主要部を斜め下方から見て示している。図８は、第２の典型的な引き戸Ａの案内構造を示すものであって、壁Ｂに備えられている固定ガイド部材１０のガイド部１１を、上側引き戸Ａ’及び下側引き戸Ａ”における溝状ガイド部Ｈに案内させている状態の要部を縦向きに断面して側方から見て示している。
【００２６】
図９〜図１８は、第３の典型的な引き戸Ａの案内構造を示すものであって、図９は、開口部Ｃを開いている状態における当該引き戸Ａを正面側から見て、図１０では、これを上側引き戸Ａ’を取り外した状態で水平向きで断面して下方を見て、図１１では、下側引き戸Ａ”を開口部Ｃを閉じ込む向きに移動仕切った状態を同様に断面して下方を見て、図１２では、この下側引き戸Ａ”を壁Ｂに沿って引き込むように当該開口部Ｃを開きだしている状態を同様に断面して下方を見て示している。図１３では、上側引き戸Ａ’及び下側引き戸Ａ”で開口部Ｃを閉じている状態を壁Ｂ位置で縦向きに断面して各引き戸Ａ側を見て示している。図１４は、壁Ｂに備えられている固定ガイド部材１０のガイド部１１を、上側引き戸Ａ’及び下側引き戸Ａ”における溝状ガイド部Ｈを構成する可動ガイド部材２０におけるスライダー２２の支承溝２２ｃに案内させている状態の要部を縦向きに断面して側方から見て、図１５は、上側引き戸Ａ’における吊り構造の要部を縦向きに断面して側方から見て示している。また、図１６では当該開口部Ｃの開け閉めに用いられる下側引き戸Ａ”における上部側部材の要部部品を分離して、その主要部を斜め上方から、図１７では、この下側引き戸Ａ”と共に開口部Ｃを閉じ込む上側引き戸Ａ’の下部側部材の要部部品を分離して、その主要部を斜め下方から見て示している。図１８は、典型的な吸着手段５０の部品の要部を斜め上方から見て示している。
【００２７】
図１９〜図２５は、第４の典型的な引き戸Ａの案内構造を示すものであって、図１９では、当該引き戸Ａの案内構造要部を壁Ｂ部分で縦向きに断面して各引き戸Ａを側方から見て、また、図２０では、上側引き戸Ａ’の下端側の要部と下側引き戸Ａ”の上端側の要部とを当該各引き戸Ａの案内構造の要部と共に断面して示している。図２１は、かかる引き戸Ａの案内構造にあって、開口部Ｃを開ききった状態を上側引き戸Ａ’を取り除いた状態で水平向きに断面して下方を見て、図２２では、下側引き戸Ａ”で開口部Ｃを閉じ込んだ状態を水平向きに断面して下方を見て、図２３では、開口部Ｃを開き出す向きに当該下側引き戸Ａ”を開きだしている状態を水平向きで断面して下方を見て示している。また、図２４では当該開口部Ｃの開け閉めに用いられる下側引き戸Ａ”における上部側部材の要部部品を分離して、その主要部を斜め上方から、図２５では、この下側引き戸Ａ”と共に開口部Ｃを閉じ込む上側引き戸Ａ’の下部側部材の要部部品を分離して、その主要部を斜め下方から見て示している。
【００２８】
図２６〜図３２は、第５の典型的な引き戸Ａの案内構造を示すものであって、図２６では、開口部Ｃを開き出すように壁Ｂ内に各引き戸Ａを押し入れた状態の要部を手前側で一部破断して斜め上方から見て、また、図２７は、かかる引き戸Ａの案内構造にあって、開口部Ｃを開ききった状態を上側引き戸Ａ’を取り除いた状態で水平向きに断面して下方を見て、図２８では、下側引き戸Ａ”で開口部Ｃを閉じ込んだ状態を水平向きに断面して下方を見て、図２９では、開口部Ｃを開き出す向きに当該下側引き戸Ａ”を開きだしている状態を水平向きで断面して下方を見て示している。また、図３０では、上側引き戸Ａ’の下端側の要部と下側引き戸Ａ”の上端側の要部とを当該各引き戸Ａの案内構造の要部と共に断面して示している。また、図３１では当該開口部Ｃの開け閉めに用いられる下側引き戸Ａ”における上部側部材の要部部品を分離して、その主要部を斜め上方から、図３２では、この下側引き戸Ａ”と共に開口部Ｃを閉じ込む上側引き戸Ａ’の下部側部材の要部部品を分離して、その主要部を斜め下方から見て示している。
【００２９】
図３３〜図３９は、第６の典型的な引き戸Ａの案内構造を示すものであって、図３３では、開口部Ｃを開き出すように壁Ｂ内に各引き戸Ａを押し入れた状態の要部を手前側で一部破断して斜め上方から見て、また、図３４は、かかる引き戸Ａの案内構造にあって、開口部Ｃを開ききった状態を上側引き戸Ａ’を取り除いた状態で水平向きに断面して下方を見て、図３５では、下側引き戸Ａ”で開口部Ｃを閉じ込んだ状態を水平向きに断面して下方を見て、図３６では、開口部Ｃを開き出す向きに当該下側引き戸Ａ”を開きだしている状態を水平向きで断面して下方を見て示している。また、図３７では、上側引き戸Ａ’の下端側の要部と下側引き戸Ａ”の上端側の要部とを当該各引き戸Ａの案内構造の要部と共に断面して示している。また、図３８では当該開口部Ｃの開け閉めに用いられる下側引き戸Ａ”における上部側部材の要部部品を分離して、その主要部を斜め上方から、図３９では、この下側引き戸Ａ”と共に開口部Ｃを閉じ込む上側引き戸Ａ’の下部側部材の要部部品を分離して、その主要部を斜め下方から見て示している。
【００３０】
この発明を実施するための最良の形態に係る引き戸Ａの案内構造は、壁Ｂに沿って引き込まれるように備えられて開口部Ｃの開け閉めをする引き戸Ａ、又は、壁Ｂ内に引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【００３１】
なお、ここで溝状ガイド部Ｈは、当該引き戸Ａの閉め方向に長いガイド部１１を受け入れる溝向きを当該引き戸Ａにおける開け閉め動作方向Ｙ−Ｙにしたものであれば、いかなる形態に構成してあってもよく、当該引き戸Ａ自体で構成してあっても、当該引き戸Ａに溝状ガイド部Ｈを構成する部材を備え付け構成してあっても、また、引き戸Ａと当該引き戸Ａに備え付けられる部材とで構成するようにしてあってもよい。
【００３２】
かかる引き戸Ａの案内構造によれば、開口部Ｃに鴨居等を設けること無く、円滑に、かつ、確実に、引き戸Ａを当該開口部Ｃを開け閉めするように、ぶれなく動作させることができる。
【００３３】
また、かかる引き戸Ａの案内構造によれば、引き戸Ａを引き込んで開口部Ｃを開き出した際に、当該開口部Ｃを仕切る鴨居等が一切無いことから、当該開口部Ｃで連続されている居室、リビングルーム、ダイニングルーム、チッキン、サニタリールーム、玄関フロアー、廊下等の住宅等における各空間が一連に連続した態様に構成することができ、住宅等の内部空間を広い内部空間として認識させることができる。
【００３４】
また、前記引き戸の案内構造を、壁Ｂに沿って引き込まれるように備えられて開口部Ｃの開け閉めをする引き戸Ａ、又は、壁Ｂ内に引き込まれるように備えられて開口部Ｃの開け閉めをする引き戸Ａの案内構造であって、前記引き込まれる引き戸Ａの側方にある前記開口部Ｃ側の壁部Ｂ”に、当該引き戸Ａを開け閉め方向に案内する当該開け閉め方向に長いガイド部１１を備える固定ガイド部材１０が設けてあると共に、前記引き戸Ａに、前記ガイド部１１を受け入れる溝状ガイド部Ｈを備えており、
この溝状ガイド部Ｈが、溝向きを当該引き戸Ａにおける開け閉め動作方向Ｙ−Ｙにしたガイド溝２１と、このガイド溝２１に、前記ガイド部１１を受け入れる支承溝２２ｃを備えるスライダー２２を移動可能に組み付けた可動ガイド部材２０を備えており、
この可動ガイド部材２０のスライダー２２が、前記固定ガイド部材１０におけるガイド部１１をがたなく受け入れる支承溝２２ｃを長さ方向に備える樋状ガイド部２２ａと、当該樋状ガイド部２２ａの一端側に当該樋状ガイド部２２ａから側方に張り出す張出部２２ｂ’を備える頭部２２ｂとを有していると共に、
前記可動ガイド部材２０のガイド溝２１が、前記引き戸Ａの前記開口部Ｃに向けた引き出しに際して引き出し頭側Ａａとなる側から、引き出し尻側Ａｂに向けて備えられている当該引き出し頭側Ａａで塞がれた幅広ガイド溝部２１ａと、当該幅広ガイド溝部２１ａに連通して該幅広ガイド溝部２１ａの引き出し尻側から、当該引き戸Ａにおける引き出し尻側Ａｂに向けて備えられている幅狭ガイド溝部２１ｂとを備えており、
前記スライダー２２における前記頭部２２ｂを幅広ガイド溝部２１ａに当該幅広ガイド溝部２１ａにおける幅側においてほぼがた無く納め入れてあると共に、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記引き戸Ａが、前記スライダー２２の樋状ガイド部２２ａを前記幅狭ガイド溝部２１ｂに支承状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成することができる。
【００３５】
なお、ここで開口部Ｃとは、壁Ｂに、例えば、開口枠等を備えて構成されると共に、引き戸Ａによって開閉される主として出入り口等の口を意味している。
【００３６】
また、ここで開口部Ｃを開け閉めするように案内される引き戸Ａは、壁Ｂに沿って引き込まれるように備えられて開口部Ｃの開け閉めをする引き戸Ａ、壁Ｂ内に引き込まれるように備えられて開口部Ｃの開け閉めをする引き戸Ａであれば、いかなる形態の引き戸Ａであってもよく、例えば、開口部Ｃに連続している壁部Ｂ”に、当該開口部Ｃを開け閉めする引き戸Ａの引き込み用の引き込む空間Ｅを当該開口部Ｃに連通して備えるように当該壁部を半幅の厚さからなる壁部とし、この半幅に構成される壁部に備えられる引き込み空間Ｅと開口部Ｃ間とを往復動し得るように備えられている引き戸、開口部Ｃのいずれか一方の開口面に沿って当該開口部Ｃを塞ぐ位置と当該開口部Ｃに連続する壁部Ｂ”に沿った位置との間を往復動するように備えられている引き戸、開口部Ｃに連続する壁部Ｂ”に当該開口部Ｃに連続するように備えられている引き戸の引き込み空間Ｅと当該開口部Ｃとの間を往復動するように備えられている引き戸等、いかなる引き込み構造に備えられている引き戸であってもよい。
【００３７】
また、かかる引き戸Ａは、当該開口部Ｃを、一枚の引き戸によって開け閉めし得るようにしてあっても、当該開口部Ｃを複数枚の引き戸によって開け閉めし得るようにしてあってもよい。
【００３８】
また、かかる引き戸Ａは、開口部Ｃの全部を、一枚又は複数枚の引き戸によって、開け閉めするように備えられている場合であっても、当該開口部Ｃの全てを塞ぐこと無く、部分的に開け閉めするように備えられていてもよい。
【００３９】
また、かかる引き戸Ａは、いかなる素材によって構成してあってもよく、単一素材によって構成してあっても、複数素材の組み合わせによって構成してあってもよく、また、単板構造、戸枠構造、フラッシュタイプ、プレスタイプ等、いかなる構造のものであってもよく、ガラス戸等の透明部分を備えているもの等、いかなる形態からなる戸であってもよい。また、ここで用いられる引き戸Ａは、上側引き戸Ａ’と下側引き戸Ａ”とを同一の素材、構成のものとして用意してあっても、両者を異なる素材、構成のものとして用意してあってもよい。
【００４０】
また、引き戸Ａに備えられる可動ガイド部材２０は、壁部Ｂ”に備えられる固定ガイド部材１０と対応して、引き戸Ａを都合よく前記開口部Ｃの開け閉め方向に案内し得るものであれば、いかなる位置に設けてあってもよく、例えば、当該引き戸Ａの上端部に備え付けて、床部Ｄに案内される引き戸Ａの上部側を案内させるようにしてあってもよい。また、当該引き戸Ａの下端部に備え付けて、天井側に吊支状態に備えられる引き戸Ａの下部側を案内するようにしてあってもよい。また、当該引き戸Ａにおける任意の高さ位置で当該引き戸Ａを前記開口部Ｃの開け閉め方向に案内し得るようにしてあってもよい。
【００４１】
また、かかる可動ガイド部材２０と当該可動ガイド部材２０に対応する固定ガイド部材１０は、引き戸Ａの複数箇所に設け、より安定に、当該引き戸Ａを前記開口部Ｃの開け閉め方向に案内するようにしてあってもよい。
【００４２】
また、かかる引き戸Ａに備えられる可動ガイド部材２０を、引き戸Ａの両側方にある壁部Ｂ”から延設される複数の固定ガイド部材１０によって案内するようにしてあってもよい。
【００４３】
また、例えば、引き戸Ａの複数の高さ位置に可動ガイド部材２０を設け、これに対応するように備えられている壁部Ｂ”における固定ガイド部材１０とで、レール等の下端側支承手段や吊支手段等を備えること無く、開口部Ｃの開け閉めをなすように構成される引き戸Ａであってもよく、例えば、開口部Ｃの上下方向における中間部分を目隠し的に塞ぐように備えられる引き戸Ａであってもよい。
【００４４】
また、前記固定ガイド部材１０におけるガイド部１１は、このガイド部１１を稼働ガイド部材における支承溝２２ｃに納め入れられて、引き戸Ａを開口部Ｃの開け閉め方向に安定に案内し得る長さを備えておればよく、いかなる形態に構成してあっても、また、いかなる素材によって構成してあってもよい。
【００４５】
また、前記固定ガイド部におけるガイド部１１の長さ、可動ガイド部材２０のガイド溝２１における幅広ガイド溝部２１ａの溝長さ、幅狭ガイド溝部２１ｂの溝長さ、スライダー２２の長さ、と等は、引き戸Ａの戸幅、開口部Ｃの開口幅、引き戸Ａの移動幅等から、前記引き戸Ａが、前記スライダー２２の樋状ガイド部２２ａを前記幅狭ガイド溝部２１ｂに支承し、かつ、当該樋状ガイド部２２ａを当該引き戸Ａ内に納めいれた状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成してあれば、いかなる態様に構成してあってもよい。
【００４６】
なお、前記ガイド溝２１は引き戸Ａに直接、彫り込み状態に設けてあっても、当該引き戸Ａに一本又は複数本からなる溝付き金物を埋め込み状にして設けてあってもよく、また、これらの複合形態として構成してあってもよい。
【００４７】
また、前記ガイド溝２１に案内されるスライダー２２は、当該ガイド溝２１に沿って、固定ガイド部材１０におけるガイド部１１を受け入れながら都合よく移動し、頭部２２ｂを幅広ガイド部に樋状ガイド部２２ａを幅狭ガイド部にがた無く案内される構成としてあれば、いかなる素材によって構成してあっても、また、いかなる態様に構成してあってもよい。
【００４８】
かかる引き戸Ａの案内構造によれば、開口部Ｃに鴨居等を設けること無く、円滑に、かつ、確実に、引き戸Ａを当該開口部Ｃを開け閉めするように、ぶれなく動作させることができる。
【００４９】
また、かかる引き戸Ａの案内構造によれば、引き戸Ａを引き込んで開口部Ｃを開き出した際に、当該開口部Ｃを仕切る鴨居等が一切無いことから、当該開口部Ｃで連続されている居室、リビングルーム、ダイニングルーム、チッキン、サニタリールーム、玄関フロアー、廊下等の住宅等における各空間が一連に連続した態様に構成することができ、住宅等の内部空間を広い内部空間として認識させることができる。
【００５０】
また、前記構成に係る引き戸Ａの案内構造にあって、前記開口部Ｃが床部Ｄと、天井又は天井に近接している天井側とにわたるように壁Ｂに設けてあり、当該開口部Ｃを、天井側に移動可能に吊り下げ設置されている上側引き戸Ａ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記溝状ガイド部Ｈが設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける溝状ガイド部Ｈに受け入れられて前記各引き戸Ａを前記開口部Ｃの開け閉め方向に移動し得るようにしてある引き戸Ａの案内構造にあっては、前記特長に併せて、前記開口部Ｃを上側引き戸Ａ’と下側引き戸Ａ”とで閉じ込み得ると共に、下側引き戸Ａ”及び上側引き戸Ａ’を引き込むことで鴨居等の存在しない一連に連続して開き出された開口部Ｃを構成することができる。また、下側引き戸Ａ”のみを引き込んで開口部Ｃの下部側のみを開きだし、又は、上側引き戸Ａ’のみを引き込んで開口部Ｃの上部側のみを開き出し状態にして用いることができる。
【００５１】
また、前記構成に係る引き戸Ａの案内構造において、前記上側引き戸Ａ’の下側端面部及び下側引き戸Ａ”の上側端面部の互いに向き合っている面部の一方に、他方面部に備えられている溝に入り込む遮光板４０が、当該引き戸Ａの横幅のほぼ全幅にわたるように備えてある引き戸Ａの案内構造にあっては、開口部Ｃを閉じ込むように引き出された下側引き戸Ａ”と上側引き戸Ａ’との間からの光り漏れを効果的に防ぐことができ、下側引き戸Ａ”と上側引き戸Ａ’間における気密性を高めることができる。
【００５２】
また、前記構成に係る引き戸Ａの案内構造において、前記上側引き戸Ａ’の下側端部及び下側引き戸Ａ”の上側端部に、当該引き戸Ａの厚幅方向で互いに向き合うように重なりあう突き出し縁部４２が、当該各引き戸Ａの横幅のほぼ全幅にわたるように備えられている引き戸Ａの案内構造にあっては、開口部Ｃを閉じ込むように引き出された下側引き戸Ａ”と上側引き戸Ａ’との間からの光り漏れを効果的に防ぐことができ、下側引き戸Ａ”と上側引き戸Ａ’間における気密性を高めることができる。
【００５３】
また、前記構成に係る引き戸Ａの案内構造において、前記開口部Ｃを閉じる向きに引き出される引き戸Ａの引き出し頭側Ａａと、当該引き出し頭側Ａａの接する開口部Ｃの枠部の互いに向き合う面部の一方に永久磁石を備える吸着具５１が、他方に当該吸着具５１に吸着される被吸着具５２が備えられている引き戸Ａの案内構造にあっては、開口部Ｃを閉じ込んだ引き戸Ａが当該閉じ込み状態を安定に維持することができる。
【００５４】
まず、図１〜図７に示される第１の典型的な実施の形態に係る引き戸Ａの案内構造について説明する。
【００５５】
この図示例に係る引き戸Ａの案内構造は、壁Ｂに沿って引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【００５６】
そして、この図示例に係る引き戸Ａの案内構造は、前記構成に係る引き戸Ａの案内構造において、前記開口部Ｃが床部Ｄと、天井又は天井に近接している天井側とにわたるように壁Ｂに設けてあり、当該開口部Ｃを、天井側に移動可能に吊り下げ設置されている上側引き戸Ａ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記溝状ガイド部Ｈを設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける前記溝状ガイド部Ｈに受け入れられて前記各引き戸Ａを前記開口部Ｃの開け閉め方向に移動し得るようにしてある。
【００５７】
かかる構成からなる引き戸Ａの案内構造にあっては、前記開口部Ｃを上側引き戸Ａ’と下側引き戸Ａ”とで閉じ込み得ると共に、下側引き戸Ａ”及び上側引き戸Ａ’を引き込むことで鴨居等の存在しない一連に連続して開き出された開口部Ｃを構成することができ、また、下側引き戸Ａ”のみを引き込んで開口部Ｃの下部側のみを開きだし、又は、上側引き戸Ａ’のみを引き込んで開口部Ｃの上部側のみを開き出し状態にして用いることができるようにしてある。
【００５８】
この図示例に係る引き戸Ａの案内構造は、間仕切り壁Ｂに備えられる開口部Ｃの開け閉めに用いられる引き戸Ａを案内するものであって、当該開口部Ｃは、間仕切り壁Ｂの開口に備えられている下枠Ｇａと、当該下枠Ｇａに向き合って備えられる上枠Ｇｂと、この下枠Ｇａ及び上枠Ｇｂの各側端部間を接続するように備えられている一対の縦枠Ｇｃとで構成される枠体Ｇの左右方向における一方側内を薄厚の引き込み部壁Ｂ’で塞ぎ、この引き込み部壁Ｂ’端と、当該引き込み部壁Ｂ’で塞がれていない上枠Ｇｂ、下枠Ｇａ、縦枠Ｇｃとで囲まれる通し空間として構成してあり、この開口部Ｃに連通するように前記引き込み部壁Ｂ’に沿って引き戸Ａの引き込み空間Ｅが前記上枠Ｇｂ、下枠Ｇａ及び縦枠Ｇｃ間に構成してある。
【００５９】
この枠体Ｇ内を部分的に塞ぐ引き込み部壁Ｂ’は、前記開口部Ｃを開け閉めし得る引き戸Ａを引き込んで、開口部Ｃを開口し得る横幅を備えた構成としてあり、より典型的には、開口部Ｃの開口横幅よりもやや幅広に構成されて、当該開口部Ｃを閉め込んだ際に引き込み部壁Ｂ’との重なり部を有するように構成されている引き戸Ａを、当該引き込み部壁Ｂ’に沿って構成されている引き込み空間Ｅに納め入れ得る横幅を備える構成としてある。
【００６０】
この図示例にあっては、床部Ｄに下枠Ｇａを天井側に上枠Ｇｂを備えるようにして開口部Ｃを構成してあり、当該開口部Ｃによって連通される各建物内空間、例えば、居室、リビングルーム、ダイニングルーム、チッキン、サニタリールーム、玄関フロアー、廊下等の住宅等における各空間が、その床面から天井面にいたる開口部Ｃによって連続するようにしてある。
【００６１】
かかる枠体Ｇにおける前記引き込み部壁Ｂ’に沿って移動されて前記開口部Ｃを開け閉めする引き戸Ａを当該引き込み部壁Ｂ’に沿って備えられている引き込み空間Ｅに引き込み自在に備え付けてある。
【００６２】
かかる枠体Ｇに備えられる引き戸Ａは、この図示例にあっては、当該開口部Ｃにおける出入りの妨げとならない上部側を開け閉めする上側引き戸Ａ’と、この上側引き戸Ａ’によって開け閉めされる開口部Ｃの上部側を除く当該開口部Ｃの下部側の開け閉めに用いられる下側引き戸Ａ”とで構成してある。
【００６３】
かかる上側引き戸Ａ’と下側引き戸Ａ”は、当該上側引き戸Ａ’の下端と、下側引き戸Ａ”の上端とが互いに近接し、かつ、互いの戸面が、ほぼ同面となって、前記開口部Ｃを閉じ込んだ際に、両者が意匠的に一体となって、開口部Ｃを一連に塞ぎ得るように枠体Ｇに備え付けてある。
【００６４】
この図示例に係る下側引き戸Ａ”は、当該下側引き戸Ａ”を引き込み空間Ｅ内に押し入れた際に、上側引き戸Ａ’の下方に、通路に都合の良い高さの開口を構成しうる高さ寸法を備え、また、開口部Ｃを閉じ込んだ際に、前記引き込み空間Ｅから全てが引き出されること無く、その一部が当該引き込み部壁Ｂ’に沿ったままに残される重なり部を備える横幅寸法を備える矩形の構成としてあり、この図示例にあっては、各縦枠Ｇｃ間にわたるように床部Ｄに備えられているレール３０に当該下側引き戸Ａ”の下端部の戸車３２を乗せかけ案内するように組み付けてある。
【００６５】
また、この図示例に係る上側引き戸Ａ’は、前記下側引き戸Ａ”を引き込み空間Ｅ内に押し入れて、当該上側引き戸Ａ’で開口部Ｃを閉じた際に、この上側引き戸Ａ’の下方に通路に都合の良い高さの開口を構成しうるようにしてあり、また、この開口部Ｃを閉じ込んだ際に、前記引き込み空間Ｅから全てが引き出されること無く、その一部が当該引き込み部壁Ｂ’に沿ったままに残される重なり部を備える横幅寸法を備える矩形の構成としてあり、この図示例にあっては、各縦枠Ｇｃ間をわたるように天井側に備えられたレール３１に当該上側引き戸Ａ’の上端部の吊り戸車３３を乗せかけて吊り下げ案内するように組み付けてあって、いわゆる欄間として機能するように構成してある。
【００６６】
かかる下側引き戸Ａ”と上側引き戸Ａ’は、その横幅寸法が同一に構成してあると共に、厚さ寸法をほぼ同一としてあり、同一のの仮想面内に、下側引き戸Ａ”の上端と上側引き戸Ａ’の下端とを近接させるようにして位置づけ設置されており、各引き戸Ａの面が、ほぼ同面となるようにしてある。
【００６７】
この図示例に係る下側引き戸Ａ”は、いわゆる、フラッシュパネルタイプの下側引き戸Ａ”の引き出し頭側Ａａ、すなわち、建て込まれている引き戸Ａ”における開口部Ｃ側に引き手３４を、当該引き戸Ａ”における開け閉め動作方向Ｙ−Ｙに直交する向きの軸で回転される一対の戸車３２を当該引き戸Ａ”の左右方向の各側端側の下端部に設けてある。また、当該下側引き戸Ａ”における引き出し頭側Ａａにある縦向きの側端面部と、この下側引き戸Ａ”によって閉じ込まれる開口部Ｃにおける当該側端面部の当接する縦枠Ｇｃ面部に吸着具５１と被吸着具５２とからなる吸着手段が設けてあり、当該下側引き戸Ａ”を前記開口部Ｃを閉め込んだ状態に維持しうるようにしてある。この図示例にあっては、永久磁石を備える、いわゆる、マグネットキャッチ等と称される吸着具５１を、下側引き戸Ａ”における引き出し頭側Ａａの比較的上部の前記縦枠Ｇｃ面に向き合う側端面に埋設してあり、縦枠Ｇｃの当該下側引き戸Ａ”の突き当たる面部に鉄板等の被吸着具５２を備え付けて下側引き戸Ａ”の吸着手段を構成してある。
【００６８】
また、この図示例に係る上側引き戸Ａ’は、前記下側引き戸Ａ”と意匠的に一体性を生ずる形態に構成してあり、いわゆる、フラッシュパネルタイプの上吊り式引き戸として構成してあって、天井側に備えられているレール３１の溝を走行する一対のロールで吊り下げられる吊り戸車３３を当該上側引き戸Ａ’の上端部に備え、その引き出し頭側Ａａに引き手３４を設けて、前記開口部Ｃの開け閉めをなし得るように構成してある。
【００６９】
また、当該上側引き戸Ａ’における引き出し頭側Ａａにある縦向きの側端面部と、この引き戸Ａ’によって閉じ込まれる開口部Ｃにおける当該側端面部の当接する縦枠Ｇｃ面部に吸着具５１と被吸着具５２とからなる吸着手段が設けてあり、当該上側引き戸Ａ’を前記開口部Ｃを閉め込んだ状態に維持しうるようにしてある。この図示例にあっては、永久磁石を備える、いわゆる、マグネットキャッチ等と称される吸着具５１を、上側引き戸Ａ’における引き出し頭側Ａａの比較的下部の前記縦枠Ｇｃ面に向き合う側端面に埋設してあり、縦枠Ｇｃの当該上側引き戸Ａ’の突き当たる面部に鉄板等の被吸着具５２を備え付けて上側引き戸Ａ’の吸着手段を構成してある。
【００７０】
かかる上側引き戸Ａ’の下端部と、下側引き戸Ａ”の上端部とに、それぞれ溝状ガイド部Ｈが設けてあり、この溝状ガイド部Ｈに前記引き込み部壁Ｂ’に備えられている固定ガイド部材１０が係合してあって、前記開口部Ｃの開け閉め方向に向けて当該上側引き戸Ａ’、下側引き戸Ａ”が、ぶれなく移動するようにしてある。
【００７１】
この下側引き戸Ａ”の上端部に備えられる溝状ガイド部Ｈは、この下側引き戸Ａ”の上端面の長手方向、すなわち、当該下側引き戸Ａ”の横幅方向にわたって備えられている溝向きを当該引き戸Ａ”の開け閉め動作方向Ｙ−Ｙにした取付溝６０にガイド溝体６３を、ほぼ密に納め入れ状態に組み付け、これを、ビス６４で当該引き戸Ａ”に止着し、かつ、当該引き戸Ａ”の引き出し頭側の取付溝６０部に、この溝６０端を塞ぐように塞ぎ具６１を嵌め入れて、ビス６２で止着することで構成してある。なお、このガイド溝体６３は、溝底板６３ａと当該溝底板６３ａの両側に起立されている側板６３ｂとを備えた断面がコ字状をなす構成としてあり、側板６３ｂの上端が当該引き戸Ａ”の上端面と、ほぼ面一状態になるように構成してある。
【００７２】
また、上側引き戸Ａ’の下端部に備えられる溝状ガイド部Ｈは、この上側引き戸Ａ’の下端面の長手方向、すなわち、当該上側引き戸Ａ’の横幅方向にわたって備えられている溝向きを当該引き戸Ａ’の開け閉め動作方向Ｙ−Ｙにした取付溝６０にガイド溝体６３を、ほぼ密に納め入れ状態に組み付け、これを、ビス６４で当該引き戸Ａ’に止着し、かつ、当該引き戸Ａ’の引き出し頭側の取付溝６０部に、この溝６０端を塞ぐように塞ぎ具６１を嵌め入れて、ビス６２で止着することで構成してある。なお、このガイド溝体６３は、溝底板６３ａと当該溝底板６３ａの両側に起立されている側板６３ｂとを備えた断面がコ字状をなす構成としてあり、側板６３ｂの上端が当該引き戸Ａ’の上端面と、ほぼ面一状態になるように構成してある。
【００７３】
かかる上側引き戸Ａ’と下側引き戸Ａ”を案内する固定ガイド部材１０は、当該各引き戸Ａにおけるガイド溝体６３の溝内に納め入れられて、当該各引き戸Ａを、この固定ガイド部材１０で支承して、開口部Ｃの開け閉め方向に、ぶれなく案内されるするものであって、この図示例にあっては、前記引き込み部壁Ｂ’における開口部Ｃ側の当該壁部Ｂ”に設けてある。
【００７４】
この固定ガイド部材１０は、上側引き戸Ａ’及び下側引き戸Ａ”の側方にある前記引き込み部壁Ｂ’の開口部Ｃ側の壁部Ｂ”に、上側引き戸Ａ’のガイド溝体６３、及び下側引き戸Ａ”のガイド溝体６３に対応する位置とに設けるようにしてあり、この図示例にあっては、上側引き戸Ａ’の溝状ガイド部Ｈをなすガイド溝体６３と下側引き戸Ａ”の溝状ガイド部Ｈを構成するガイド溝体６３の両者に対応するように一体化された固定ガイド部材１０が当該壁部Ｂ”に止着してある。
【００７５】
この図示例に係る固定ガイド部材１０は、上側引き戸Ａ’のガイド溝体６３の溝に受け入れられる上側ガイド部１１と、下側引き戸Ａ”のガイド溝体６３の溝に受け入れられる下側ガイド部１１とを一体に備えた構成としてあり、当該各引き戸における開け閉め方向に長い垂直向きの厚板状のガイド部１１として構成してあり、その上部側を上側引き戸Ａ’におけるガイド溝体６３の溝内に、また、下部側を下側引き戸Ａ”におけるガイド溝体６３の溝内に受け入れられるように備え付けてある。
【００７６】
かかる固定ガイド部材１０は、より具体的には、前記各引き戸Ａにおける開け閉め方向に長いＬ字状の取付板１２と、この取付板１２に一体的に備えられて当該各引き戸Ａの開け閉め方向に長いガイド部１１とを備える構成としてある。すなわち、Ｌ字状に屈曲されて壁面に添装、ビス１４着されている垂直板部１２ｂと、この垂直板部１２ｂから直角に屈曲されて先端部に垂直の補強板部１２ｃをＴ字状に備える取付板１２を、その長手側を当該各引き戸Ａにおける開け閉め方向に向けて設けてあり、この水平状をなして当該各引き戸Ａの開け閉め方向に長い横向き板部１２ａの先端部及び補強板部１２ｃを含んで上下方向に向けてガイド部１１を、当該取付板１２に一体的に設けてある。
【００７７】
かかるガイド部１１は、壁部Ｂ”に備えられる固定ガイド部材１０における当該ガイド部１１が都合よく、前記上側引き戸Ａ’におけるガイド溝体６３の溝内に受け入れられ、かつ、下側引き戸Ａ”におけるガイド溝体６３の溝内に受け入れられる位置に備えられる。
【００７８】
かかるガイド部１１は、前記上側引き戸Ａ’におけるガイド溝体６３の溝と、下側引き戸Ａ”におけるガイド溝体６３の溝向きに長く、かつ、この各ガイド溝体６３の溝内に、がた無く受け入れられる形状、寸法に構成してある。
【００７９】
かかるガイド部１１は、例えば、耐摩耗性に優れ、かつ、すべり特性の良好な各種のプラスチック材によって構成することができる。
【００８０】
かかるガイド部１１は、例えば、前記取付板１２を型内に位置づけてなされるモールデングによるプラスチック製とすることができる。また、例えば、別段に成形用意されたプラスチック製ガイド部１１を取付板１２に一体的に接着することで構成することができる。
【００８１】
かかる上側引き戸Ａ’の案内構造にあっても、下側引き戸Ａ”の案内構造にあっても、前記ガイド部１１は、当該引き戸Ａによる開口部Ｃの開け閉め操作に際して、各ガイド溝体６３の溝内に位置づけられるようにしてある。
【００８２】
なお、前記下側引き戸Ａ”の上端面に、当該引き戸Ａ”の開け閉め方向に向けて、すなわち、当該引き戸Ａ”の横幅にわたるように遮光板４０を起立状態に設けてあり、この下側引き戸Ａ”における遮光板４０に向き合う位置の上側引き戸Ａ’の下端面に、当該上側引き戸Ａ’の開け閉め方向に溝向きを向けた受け溝４１が、当該上側引き戸Ａ’の横幅にわたるように、すなわち、当該受け溝４１の両端を開口するように設けてある。
【００８３】
かかる遮光板４０は、この図示例にあっては、前記固定ガイド部材１０による支承側と反対側にあって、当該固定ガイド部材１０におけるガイド部１１によるガイド溝体６３の支承の妨げとならないように当該下側引き戸Ａ”の上端面に、この下側引き戸Ａ”の横幅、すなわち、当該下側引き戸Ａ”の開け閉め動作方向Ｙ−Ｙの全幅にわたるように設けてあり、同様に、上側引き戸Ａ’の下端面における固定ガイド部材１０による支承側と反対側にあって、当該固定ガイド部材１０におけるガイド部１１によるガイド溝体６３の支承の妨げとならないように当該上側引き戸Ａ’の下端面に、この上側引き戸Ａ’の横幅、すなわち、当該上側引き戸Ａ’の開け閉め動作方向Ｙ−Ｙの全幅にわたるように、前記遮光板４０が都合よく入れ込まれる受け溝４１が、前記遮光板４０に向き合うように設けてある。
【００８４】
かかる上側引き戸Ａ’と下側引き戸Ａ”を、前記開口部Ｃを閉め込むように移動した際に、この受け溝４１に遮光板４０が受け入れられて、上側引き戸Ａ’と下側引き戸Ａ”間における隙間が遮断され、光線漏れが防がれると共に、当該開口部Ｃを気密性よく閉じ込むことができる。
【００８５】
ついで、図８に示される第２の典型的な実施の形態に係る引き戸Ａの案内構造について説明する。
【００８６】
この図８に示される引き戸Ａの案内構造にあっては、前記上側引き戸Ａ’の下側端部、下側引き戸Ａ”の上側端部とに備えられる溝状ガイド部Ｈを構成するガイド溝体６３における溝底板６３ａの両側に備えられる各側板６３ｂの起立寸法に差をもたせ、引き戸の一方側にある側板の一方を他方の引き戸における取付溝６０内に入り込ませ得るようにしてあり、上側引き戸Ａ’と、下側引き戸Ａ”とを共に開口部Ｃを閉じ込む向きに移動した際に、この上下にある各引き戸Ａの近接される部分から、光り漏れ等を生じないようにした以外の構成を前記図１〜図７に示される第１の典型的な実施の形態に係る引き戸Ａの案内構造と同一、又は、実質的に同一の構成としてあり、同一態様で開口部Ｃの開け閉めに用いることができる。
【００８７】
従って、前記図１〜図７に示される第１の典型的な実施の形態に係る引き戸Ａにおける案内構造と同一又は実質的に同一の構成部分には、同一の番号を付して、その説明を省略する。
【００８８】
かかる上側引き戸Ａ’の下側端部と、下側引き戸Ａ”の上側端部に備えられるガイド溝体６３は、前記取付溝６０内に密に納め入れ状態で組み付けられる断面が、ほぼコ字状をなす長尺溝体としてある。そして、この図示例にあっては、下側引き戸Ａ”の取付溝６０に備えられるガイド溝体６３における一方の側板６３ｂであって、固定ガイド部材１０の組み付け側にある側板６３ｂを当該取付溝６０の溝深さと同一として、その上端面が下側引き戸Ａ”の上端面と同面をなすように構成してあり、他方側板６３ｂを、この取付溝６０から、さらに、上方に突き出し延設板部を備える側板６３ｂ’としてある。また、これに対応する上側引き戸Ａ’の取付溝６０に備えられるガイド溝体６３における前記側板６３ｂ’の直上に位置づけられる側板６３ｂを、前記側板６３ｂ’を、当該上側引き戸Ａ’の取付溝６０内に受け入れ得るように短寸の立ち上がり幅、すなわち、当該取付溝６０の開口端に到らない立ち上がりの側板６３ｂ”としてあり、他方の側板６３ｂ、すなわち、固定ガイド部材１０による支承側にある側板６３ｂを当該上側引き戸Ａ’の下端面と同面をなすように構成してある。
【００８９】
なお、この上側引き戸Ａ’における取付溝６０に備えられる塞ぎ具６１には、この下側引き戸Ａ”の側板６３ｂ’の移動可能な溝を設けるようにして、上下の引き戸Ａが、個別に開け閉めし得るようにしてある。
【００９０】
かかる上側引き戸Ａ’と下側引き戸Ａ”を、前記開口部Ｃを閉め込むように移動した際に、前記ガイド溝体６３の側板６３ｂ’が取付溝６０内に位置づけられ、上側引き戸Ａ’と下側引き戸Ａ”の互いに向きあう端面間の空間を遮るように機能し、上側引き戸Ａ’と下側引き戸Ａ”間における隙間からの光線漏れを防ぐと共に、当該開口部Ｃを気密性よく閉じ込むことができる。
【００９１】
ついで、図９〜図１８に示される第３の典型的な実施の形態に係る引き戸Ａの案内構造について説明する。
【００９２】
この図示例に係る引き戸Ａの案内構造は、壁Ｂに沿って引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【００９３】
より、具体的には、壁Ｂに沿って引き込まれるように備えられて開口部Ｃの開け閉めをする引き戸Ａの案内構造であって、前記引き込まれる引き戸Ａの側方にある前記開口部Ｃ側の壁部Ｂ”に、当該引き戸Ａを開け閉め方向に案内する当該開け閉め方向に長いガイド部１１を備える固定ガイド部材１０が設けてあると共に、前記引き戸Ａに、前記ガイド部１１を受け入れる溝状ガイド部Ｈを備えており、
この溝状ガイド部Ｈが、溝向きを当該引き戸Ａにおける開け閉め動作方向Ｙ−Ｙにしたガイド溝２１と、このガイド溝２１に、前記ガイド部１１を受け入れる支承溝２２ｃを備えるスライダー２２を移動可能に組み付けた可動ガイド部材２０を備えており、
この可動ガイド部材２０のスライダー２２が、前記固定ガイド部材１０におけるガイド部１１をがたなく受け入れる支承溝２２ｃを長さ方向に備える樋状ガイド部２２ａと、当該樋状ガイド部２２ａの一端側に当該樋状ガイド部２２ａから側方に張り出す張出部２２ｂ’を備える頭部２２ｂとを有していると共に、
前記可動ガイド部材２０のガイド溝２１が、前記引き戸Ａの前記開口部Ｃに向けた引き出しに際して引き出し頭側Ａａとなる側から、引き出し尻側Ａｂに向けて備えられている当該引き出し頭側Ａａで塞がれた幅広ガイド溝部２１ａと、当該幅広ガイド溝部２１ａに連通して該幅広ガイド溝部２１ａの引き出し尻側から、当該引き戸Ａにおける引き出し尻側Ａｂに向けて備えられている幅狭ガイド溝部２１ｂとを備えており、
前記スライダー２２における前記頭部２２ｂを幅広ガイド溝部２１ａに当該幅広ガイド溝部２１ａにおける幅側においてほぼがた無く納め入れてあると共に、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記引き戸Ａが、前記スライダー２２の樋状ガイド部２２ａを前記幅狭ガイド溝部２１ｂに支承状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成してある。
【００９４】
そして、この図示例に係る引き戸Ａの案内構造は、前記構成に係る引き戸Ａの案内構造において、前記開口部Ｃが床部Ｄと、天井又は天井に近接している天井側とにわたるように壁Ｂに設けてあり、当該開口部Ｃを、天井側に移動可能に吊り下げ設置されている上側引き戸Ａ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記溝状ガイド部Ｈを構成する可動ガイド部材２０が設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける前記溝状ガイド部Ｈを構成する可動ガイド部材２０のスライダー２２の支承溝２２ｃに受け入れられて前記各引き戸Ａを前記開口部Ｃの開け閉め方向に移動し得るようにしてある。
【００９５】
かかる構成からなる引き戸Ａの案内構造にあっては、前記開口部Ｃを上側引き戸Ａ’と下側引き戸Ａ”とで閉じ込み得ると共に、下側引き戸Ａ”及び上側引き戸Ａ’を引き込むことで鴨居等の存在しない一連に連続して開き出された開口部Ｃを構成することができ、また、下側引き戸Ａ”のみを引き込んで開口部Ｃの下部側のみを開きだし、又は、上側引き戸Ａ’のみを引き込んで開口部Ｃの上部側のみを開き出し状態にして用いることができるようにしてある。
【００９６】
この図示例に係る引き戸Ａの案内構造は、間仕切り壁Ｂに備えられる開口部Ｃの開け閉めに用いられる引き戸Ａを案内するものであって、当該開口部Ｃは、間仕切り壁Ｂの開口に備えられている下枠Ｇａと、当該下枠Ｇａに向き合って備えられる上枠Ｇｂと、この下枠Ｇａ及び上枠Ｇｂの各側端部間を接続するように備えられている一対の縦枠Ｇｃとで構成される枠体Ｇの左右方向における一方側内を薄厚の引き込み部壁Ｂ’で塞ぎ、この引き込み部壁Ｂ’端と、当該引き込み部壁Ｂ’で塞がれていない上枠Ｇｂ、下枠Ｇａ、縦枠Ｇｃとで囲まれる通し空間として構成してあり、この開口部Ｃに連通するように前記引き込み部壁Ｂ’に沿って引き戸Ａの引き込み空間Ｅが前記上枠Ｇｂ、下枠Ｇａ及び縦枠Ｇｃ間に構成してある。
【００９７】
この枠体Ｇ内を部分的に塞ぐ引き込み部壁Ｂ’は、前記開口部Ｃを開け閉めし得る引き戸Ａを引き込んで、開口部Ｃを開口し得る横幅を備えた構成としてあり、より典型的には、開口部Ｃの開口横幅よりもやや幅広に構成されて、当該開口部Ｃを閉め込んだ際に引き込み部壁Ｂ’との重なり部を有するように構成されている引き戸Ａを、当該引き込み部壁Ｂ’に沿って構成されている引き込み空間Ｅに納め入れ得る横幅を備える構成としてある。
【００９８】
この図示例にあっては、床部Ｄに下枠Ｇａを天井側に上枠Ｇｂを備えるようにして開口部Ｃを構成してあり、当該開口部Ｃによって連通される各建物内空間、例えば、居室、リビングルーム、ダイニングルーム、チッキン、サニタリールーム、玄関フロアー、廊下等の住宅等における各空間が、その床面から天井面にいたる開口部Ｃによって連続するようにしてある。
【００９９】
かかる枠体Ｇにおける前記引き込み部壁Ｂ’に沿って移動されて前記開口部Ｃを開け閉めする引き戸Ａを当該引き込み部壁Ｂ’に沿って備えられている引き込み空間Ｅに引き込み自在に備え付けてある。
【０１００】
かかる枠体Ｇに備えられる引き戸Ａは、この図示例にあっては、当該開口部Ｃにおける出入りの妨げとならない上部側を開け閉めする上側引き戸Ａ’と、この上側引き戸Ａ’によって開け閉めされる開口部Ｃの上部側を除く当該開口部Ｃの下部側の開け閉めに用いられる下側引き戸Ａ”とで構成してある。
【０１０１】
かかる上側引き戸Ａ’と下側引き戸Ａ”は、当該上側引き戸Ａ’の下端と、下側引き戸Ａ”の上端とが互いに近接し、かつ、互いの戸面が、ほぼ同面となって、前記開口部Ｃを閉じ込んだ際に、両者が意匠的に一体となって、開口部Ｃを一連に塞ぎ得るように枠体Ｇに備え付けてある。
【０１０２】
この図示例に係る下側引き戸Ａ”は、当該下側引き戸Ａ”を引き込み空間Ｅ内に押し入れた際に、上側引き戸Ａ’の下方に、通路に都合の良い高さの開口を構成しうる高さ寸法を備え、また、開口部Ｃを閉じ込んだ際に、前記引き込み空間Ｅから全てが引き出されること無く、その一部が当該引き込み部壁Ｂ’に沿ったままに残される重なり部を備える横幅寸法を備える矩形の構成としてあり、この図示例にあっては、各縦枠Ｇｃ間にわたるように床部Ｄに備えられているレール３０に当該下側引き戸Ａ”の下端部の戸車３２を乗せかけ案内するように組み付けてある。
【０１０３】
また、この図示例に係る上側引き戸Ａ’は、前記下側引き戸Ａ”を引き込み空間Ｅ内に押し入れて、当該上側引き戸Ａ’で開口部Ｃを閉じた際に、この上側引き戸Ａ’の下方に通路に都合の良い高さの開口を構成しうるようにしてあり、また、この開口部Ｃを閉じ込んだ際に、前記引き込み空間Ｅから全てが引き出されること無く、その一部が当該引き込み部壁Ｂ’に沿ったままに残される重なり部を備える横幅寸法を備える矩形の構成としてあり、この図示例にあっては、各縦枠Ｇｃ間をわたるように天井側にビス３１ｂで止着されているレール３１に当該上側引き戸Ａ’の上端部の吊り戸車３３を乗せかけて吊り下げ案内するように組み付けてあって、いわゆる欄間として機能するように構成してある。
【０１０４】
かかる下側引き戸Ａ”と上側引き戸Ａ’は、その横幅寸法が同一に構成してあると共に、厚さ寸法をほぼ同一としてあり、同一のの仮想面内に、下側引き戸Ａ”の上端と上側引き戸Ａ’の下端とを近接させるようにして位置づけ設置されており、各引き戸Ａの面が、ほぼ同面となるようにしてある。
【０１０５】
この図示例に係る下側引き戸Ａ”は、いわゆる、フラッシュパネルタイプの下側引き戸Ａ”の引き出し頭側Ａａ、すなわち、建て込まれている引き戸Ａ”における開口部Ｃ側に引き手３４を、当該引き戸Ａ”における開け閉め動作方向Ｙ−Ｙに直交する向きの軸で回転される一対の戸車３２を当該引き戸Ａ”の左右方向の各側端側の下端部に設けてある。また、当該下側引き戸Ａ”における引き出し頭側Ａａにある縦向きの側端面部と、この下側引き戸Ａ”によって閉じ込まれる開口部Ｃにおける当該側端面部の当接する縦枠Ｇｃ面部に吸着具５１と被吸着具５２とからなる吸着手段５０が設けてあり、当該下側引き戸Ａ”を前記開口部Ｃを閉め込んだ状態に維持しうるようにしてある。この図示例にあっては、永久磁石を備える、いわゆる、マグネットキャッチ等と称される吸着具５１を、下側引き戸Ａ”における引き出し頭側Ａａの比較的上部の前記縦枠Ｇｃ面に向き合う側端面に埋設してあり、縦枠Ｇｃの当該下側引き戸Ａ”の突き当たる面部に鉄板等の被吸着具５２を備え付けて下側引き戸Ａ”の吸着手段５０を構成してある。
【０１０６】
また、この図示例に係る上側引き戸Ａ’は、前記下側引き戸Ａ”と意匠的に一体性を生ずる形態に構成してあり、いわゆる、フラッシュパネルタイプの上吊り式引き戸として構成してあって、天井側に備えられている一対のレール溝３１ａを走行する一対のロール３３ａを備える吊り戸車３３を当該上側引き戸Ａ’の上端部に備え、その引き出し頭側Ａａに引き手３４を設けて、前記開口部Ｃの開け閉めをなし得るように構成してある。かかる上側引き戸Ａ’における吊り戸車３３は、当該上側引き戸Ａ’における開け閉め動作方向Ｙ−Ｙに直交する軸で回転される一対のロール３３ａを起立脚部３３ｂに備える吊り戸車３３を、当該上側引き戸Ａ’における左右方向の各側端側の上端部に当該起立脚部３３ｂが上方に突き出すようにビス３３ｃで当該上側引き戸Ａ’に止着してあり、この上方に突き出されている起立脚部３３ｂにおける各ロール３３ａを、レール３１に平行に備えられている一対の各レール溝３１ａに回転可能に納め入れて、当該レール３１に対して吊り下げ状態で走行し得るようにしてある。
【０１０７】
また、当該上側引き戸Ａ’における引き出し頭側Ａａにある縦向きの側端面部と、この引き戸Ａ’によって閉じ込まれる開口部Ｃにおける当該側端面部の当接する縦枠Ｇｃ面部に吸着具５１と被吸着具５２とからなる吸着手段５０が設けてあり、当該上側引き戸Ａ’を前記開口部Ｃを閉め込んだ状態に維持しうるようにしてある。この図示例にあっては、永久磁石を備える、いわゆる、マグネットキャッチ等と称される吸着具５１を、上側引き戸Ａ’における引き出し頭側Ａａの比較的下部の前記縦枠Ｇｃ面に向き合う側端面に埋設してあり、縦枠Ｇｃの当該上側引き戸Ａ’の突き当たる面部に鉄板等の被吸着具５２を備え付けて上側引き戸Ａ’の吸着手段５０を構成してある。
【０１０８】
かかる上側引き戸Ａ’の下端部と、下側引き戸Ａ”の上端部とに、それぞれ可動ガイド部材２０が設けてあり、この各可動ガイド部材２０に前記引き込み部壁Ｂ’に備えられている固定ガイド部材１０が係合してあって、前記開口部Ｃの開け閉め方向に向けて当該上側引き戸Ａ’、下側引き戸Ａ”が、ぶれなく移動するようにしてある。
【０１０９】
この下側引き戸Ａ”の上端部に備えられる溝状ガイド部Ｈを構成する可動ガイド部材２０は、この下側引き戸Ａ”の上端面の長手方向、すなわち、当該下側引き戸Ａ”の横幅方向にわたって備えられている溝向きを当該引き戸Ａ”の開け閉め動作方向Ｙ−Ｙにしたガイド溝２１と、このガイド溝２１内を摺動されるスライダー２２を備えて構成してある。
【０１１０】
この下側引き戸Ａ”に備えられるガイド溝２１は、当該引き戸Ａ”における開け閉め動作方向Ｙ−Ｙの引き出し頭側Ａａから引き出し尻側Ａｂに向けて備えられ、かつ、当該引き出し頭側Ａａで塞がれている幅広ガイド溝部２１ａと、この幅広ガイド溝部２１ａの引き出し尻側Ａｂから当該引き戸Ａ”の引き出し尻側Ａｂ端に向けて、当該引き出し尻側Ａｂ端で開放するように備えられている幅狭ガイド溝部２１ｂとを備えており、この図示例にあっては、下側引き戸Ａ”の上端面に穿設されている幅狭ガイド溝部２１ｂに鍔付長尺溝材２１ｂ’を納め入れて、これをビス２１ｅで引き戸に止着することで、幅広ガイド溝部２１ａに連通する幅狭ガイド溝部２１ｂを構成してある。
【０１１１】
この幅狭ガイド溝部２１ｂに組み付けられる鍔付長尺溝材２１ｂ’は、断面形状が矩形の溝を備えており、かつ、当該溝材の両側板２１ｄの上端部が、互いに近づく向きに直角に屈曲された鍔部２１ｃとしてあり、この各鍔部２１ｃ間に固定ガイド部材１０のガイド部１１を受け入れ得るようにしてある。この図示例にあっては、溝材における各側板２１ｄから内側に向けて突き出し備えられる当該鍔部２１ｃの前記側板２１ｄからの突き出し寸法を、この鍔付長尺溝材２１ｂ’に摺動可能に差し入れられるスライダー２２における樋状ガイド部２２ａの長尺溝部材の材厚寸法と同一と同一に構成してある。
【０１１２】
また、前記ガイド溝２１は、引き戸Ａ”の開け閉め動作方向Ｙ−Ｙ、すなわち、引き戸Ａ”の横幅にわたって、引き出し頭側Ａａと引き出し尻側Ａｂとをそれぞれ開放した状態に設けた後、幅広ガイド溝部２１ａの引き出し頭側Ａａ端に塞ぎ具２１ｆをビス２１ｇで止着することで、当該引き出し頭側Ａａの塞がれたガイド溝２１として構成することができる。
【０１１３】
かかるガイド溝２１に移動可能に組み付けられるスライダー２２は、固定ガイド部材１０のガイド部１１を受け入れる支承溝２２ｃを長さ方向に備える樋状ガイド部２２ａと、この樋状ガイド部２２ａの一端側に備えられて当該樋状ガイド部２２ａから側方に張り出す張出部２２ｂ’を備える長方体状の頭部２２ｂを備えて構成してあり、支承溝２２ｃにおける頭部２２ｂと反対側にある溝端を側板２２ｄで塞いだ構成としてある。
【０１１４】
このスライダー２２を構成する樋状ガイド部２２ａは、固定ガイド部材１０におけるガイド部１１を受け入れる支承溝２２ｃをなす上面開口の長尺溝部材で構成してあって、前記鍔付長尺溝材２１ｂ’に対して、がた無く、摺動可能に差し入れ得る断面形状が矩形の樋状ガイド部２２ａとしてあり、かつ、この長尺溝部材における両側板の板厚寸法を前記鍔付長尺溝材２１ｂ’における鍔部２１ｃの突き出し寸法と同一に構成してあって、当該幅狭ガイド溝部２１ｂを構成する鍔付長尺溝材２１ｂ’に差し入れ組み付けられている当該スライダー２２における樋状ガイド部２２ａにおける支承溝２２ｃが常に上面を開放状態に維持して、鍔付長尺溝材２１ｂ’に組み付け得るようにしてある。
【０１１５】
また、このスライダー２２を構成する頭部２２ｂは、前記幅広ガイド溝部２１ａの溝幅に対応する幅寸法を備え、かつ、該幅広ガイド溝部２１ａの溝深さの縦寸法を備えて、当該幅広ガイド溝部２１ａ内にがた無く納め入れられて、この幅広ガイド溝内を移動可能とされる長方体状に構成してある。かかる構成の頭部２２ｂを備えるスライダー２２は、当該幅広ガイド溝部２１ａにおける引き出し頭側Ａａの端面と尻側Ａｂにある端面とに当接される当該頭部２２ｂによって、その移動を規制され、かつ、前記幅狭ガイド溝部２１ｂに支承されている樋状ガイド部２２ａと共に水平状態に維持される。
【０１１６】
かかる可動ガイド部材２０は、より具体的には、引き戸Ａ”の上端面に、両端を開放状態で設けられた溝に対して鍔付長尺溝材２１ｂ’を止着し、これに前記幅広ガイド溝部２１ａの側からスライダー２２の樋状ガイド部２２ａを差し入れると共に、塞ぎ具２１ｆをビス２１ｇで止着して当該幅広ガイド溝部２１ａにおける引き出し頭側Ａａを塞ぐことによって構成される。
【０１１７】
ついで、上側引き戸Ａ’の下端部に備えられる溝状ガイド部Ｈを構成する可動ガイド部材２０は、この上側引き戸Ａ’の下端面の長手方向、すなわち、当該上側引き戸Ａ’の横幅方向にわたって備えられている溝向きを当該引き戸Ａ’の開け閉め動作方向Ｙ−Ｙにしたガイド溝２１と、このガイド溝２１内を摺動されるスライダー２２を備えて構成してある。
【０１１８】
この上側引き戸Ａ’に備えられるガイド溝２１は、当該引き戸Ａ’における開け閉め動作方向Ｙ−Ｙの引き出し頭側Ａａから引き出し尻側Ａｂに向けて備えられ、かつ、当該引き出し頭側Ａａで塞がれている幅広ガイド溝部２１ａと、この幅広ガイド溝部２１ａの引き出し尻側Ａｂから当該引き戸の引き出し尻側Ａｂ端に向けて、当該引き出し尻側Ａｂ端で開放するように備えられている幅狭ガイド溝部２１ｂとを備えており、この図示例にあっては、上側引き戸Ａ’の下端面に穿設されている幅狭ガイド溝部２１ｂに鍔付長尺溝材２１ｂ’を納め入れて、これをビス２１ｅで引き戸に止着することで、幅広ガイド溝部２１ａに連通する幅狭ガイド溝部２１ｂを構成してある。
【０１１９】
この幅狭ガイド溝部２１ｂに組み付けられる鍔付長尺溝材２１ｂ’は、断面形状が矩形の溝を備えており、かつ、当該溝材の両側板２１ｄの上端部が、互いに近づく向きに直角に屈曲された鍔部２１ｃとしてあり、この各鍔部２１ｃ間に固定ガイド部材１０のガイド部１１を受け入れ得るようにしてある。この図示例にあっては、溝材における各側板２１ｄから内側に向けて突き出し備えられる当該鍔部２１ｃの前記側板２１ｄからの突き出し寸法を、この鍔付長尺溝材２１ｂ’に摺動可能に差し入れられるスライダー２２における樋状ガイド部２２ａの長尺溝部材の材厚寸法と同一と同一に構成してある。
【０１２０】
また、前記ガイド溝２１は、引き戸Ａ’の開け閉め動作方向Ｙ−Ｙ、すなわち、Ａ’の横幅にわたって、引き出し頭側Ａａと引き出し尻側Ａｂとをそれぞれ開放した状態に設けた後、幅広ガイド溝部２１ａの引き出し頭側Ａａ端に塞ぎ具２１ｆをビス２１ｇで止着することで、当該引き出し頭側Ａａの塞がれたガイド溝２１として構成することができる。
【０１２１】
かかるガイド溝２１に移動可能に組み付けられるスライダー２２は、固定ガイド部材１０のガイド部１１を受け入れる支承溝２２ｃを長さ方向に備える樋状ガイド部２２ａと、この樋状ガイド部２２ａの一端側に備えられて当該樋状ガイド部２２ａから側方に張り出す張出部２２ｂ’を備える長方体状の頭部２２ｂを備えて構成してあり、支承溝２２ｃにおける頭部２２ｂと反対側の溝端が側板２２ｄで塞がれた構成としてある。
【０１２２】
このスライダー２２を構成する樋状ガイド部２２ａは、固定ガイド部材１０におけるガイド部１１を受け入れる支承溝２２ｃをなす上面開口の長尺溝部材で構成してあって、前記鍔付長尺溝材２１ｂ’に対して、がた無く、摺動可能に差し入れ得る断面形状が矩形の樋状ガイド部２２ａとしてあり、かつ、この長尺溝部材における両側板の板厚寸法を前記鍔付長尺溝材２１ｂ’における鍔部２１ｃの突き出し寸法と同一に構成してあって、当該幅狭ガイド溝部２１ｂを構成する鍔付長尺溝材２１ｂ’に差し入れ組み付けられている当該スライダー２２における樋状ガイド部２２ａにおける支承溝２２ｃが常に上面を開放状態に維持して、鍔付長尺溝材２１ｂ’に組み付け得るようにしてある。
【０１２３】
また、このスライダー２２を構成する頭部２２ｂは、前記幅広ガイド溝部２１ａの溝幅に対応する幅寸法を備え、かつ、該幅広ガイド溝部２１ａの溝深さの縦寸法を備えて、当該幅広ガイド溝部２１ａ内にがた無く納め入れられて、この幅広ガイド溝内を移動可能とされる長方体状に構成してある。かかる構成の頭部２２ｂを備えるスライダー２２は、当該幅広ガイド溝部２１ａにおける引き出し頭側Ａａの端面と尻側Ａｂにある端面とに当接される当該頭部２２ｂによって、その移動を規制され、かつ、前記幅狭ガイド溝部２１ｂに支承されている樋状ガイド部２２ａと共に水平状態に維持される。
【０１２４】
かかる可動ガイド部材２０は、より具体的には、引き戸Ａ’の下端面に、両端を開放状態で設けられた溝に対して鍔付長尺溝材２１ｂ’を止着し、これに前記幅広ガイド溝部２１ａの側からスライダー２２の樋状ガイド部２２ａを差し入れると共に、塞ぎ具２１ｆをビス２１ｇで止着して当該幅広ガイド溝部２１ａにおける引き出し頭側Ａａを塞ぐことによって構成される。
【０１２５】
かかる上側引き戸Ａ’の可動ガイド部材２０と、下側引き戸Ａ”の可動ガイド部材２０を支承する固定ガイド部材１０は、前記各可動ガイド部材２０におけるスライダー２２の支承溝２２ｃで受け入れられて、当該固定ガイド部材１０に支承されて当該上側引き戸Ａ’、下側引き戸Ａ”を開口部Ｃの開け閉め方向に、ぶれなく案内するものであって、この図示例にあっては、前記引き込み部壁Ｂ’における開口部Ｃ側の当該壁部Ｂ”に設けてある。
【０１２６】
この固定ガイド部材１０は、上側引き戸Ａ’及び下側引き戸Ａ”の側方にある前記引き込み部壁Ｂ’の開口部Ｃ側の壁部Ｂ”に、上側引き戸Ａ’の可動ガイド部材２０に対応する位置と、下側引き戸Ａ”に対応する位置とに設けるようにしてあり、この図示例にあっては、上側引き戸Ａ’の溝状ガイド部Ｈをなす可動ガイド部材２０と下側引き戸Ａ”の溝状ガイド部Ｈを構成する可動ガイド部材２０の両者に対応するように一体化された固定ガイド部材１０が当該壁部Ｂ”に止着してある。
【０１２７】
この図示例に係る固定ガイド部材１０は、上側引き戸Ａ’の可動ガイド部材２０の支承溝２２ｃに受け入れられる上側ガイド部１１と、下側引き戸Ａ”の可動ガイド部材２０の支承溝２２ｃに受け入れられる下側ガイド部１１とを一体に備えた構成としてあり、当該各引き戸における開け閉め方向に長い垂直板状のガイド部１１として構成してあり、その上部側を上側引き戸Ａ’における可動ガイド部材２０の前記支承溝２２ｃに、また、下部側を下側引き戸Ａ”における可動ガイド部材２０の前記支承溝２２ｃに受け入れられるように備え付けてある。
【０１２８】
かかる固定ガイド部材１０は、より具体的には、前記各引き戸Ａにおける開け閉め方向に長いＬ字状の取付板１２と、この取付板１２に一体的に備えられて当該各引き戸Ａの開け閉め方向に長いガイド部１１とを備える構成としてある。すなわち、Ｌ字状に屈曲されて壁面に添装、ビス１４着されている垂直板部１２ｂと、この垂直板部１２ｂから直角に屈曲されて先端部にガイド部１１の設けられる横向き板部１２ａとを備える取付板１２を、その長手側を当該各引き戸Ａにおける開け閉め方向に向けて設けてあり、この水平状をなして当該各引き戸Ａの開け閉め方向に長い横向き板部１２ａの先端部を含んで上下方向にガイド部１１を、当該取付板１２に一体的に設けてある。
【０１２９】
かかるガイド部１１は、壁部Ｂ”に備えられる固定ガイド部材１０における当該ガイド部１１が都合よく、前記上側引き戸Ａ’における可動ガイド部材２０の支承溝２２ｃに受け入れられ、かつ、下側引き戸Ａ”における可動ガイド部材２０の支承溝２２ｃに受け入れられる位置に備えられる。
【０１３０】
かかるガイド部１１は、前記上側引き戸Ａ’における可動ガイド部材２０の支承溝２２ｃと、下側引き戸Ａ”における可動ガイド部材２０の支承溝２２ｃの溝向きに長く、かつ、この各支承溝２２ｃに、がた無く受け入れられる形状、寸法に構成してある。
【０１３１】
かかるガイド部１１は、例えば、耐摩耗性に優れ、かつ、すべり特性の良好な各種のプラスチック材によって構成することができる。
【０１３２】
かかるガイド部１１は、例えば、前記取付板１２を型内に位置づけてなされるモールデングによるプラスチック製とすることができる。また、例えば、別段に成形用意されたプラスチック製ガイド部１１を取付板１２に一体的に接着することで構成することができる。
【０１３３】
かかる上側引き戸Ａ’の案内構造にあっても、下側引き戸Ａ”の案内構造にあっても、前記各可動ガイド部材２０と、これに対応する各ガイド部１１とは、概ね、以下の条件を満たすように設置する。
【０１３４】
すなわち、前記各スライダー２２における頭部２２ｂを各幅広ガイド溝部２１ａに当該幅広ガイド溝部２１ａにおける幅側においてほぼがた無く納め入れてある状態で、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記開口部Ｃを開きだした際に、すなわち、引き戸Ａを引き込み空間Ｅに納め入れた際に、スライダー２２の樋状ガイド部２２ａが幅狭ガイド溝部２１ｂに支承されており、
開口部Ｃを閉じ込むように引き戸Ａを移動した際に、固定ガイド部材１０のガイド部１１が樋状ガイド部２２ａの支承溝２２ｃに受け入れられているように設置してある。
【０１３５】
なお、前記下側引き戸Ａ”の上端面に、当該引き戸Ａ”の開け閉め方向に向けて、すなわち、当該引き戸Ａ”の横幅にわたるように遮光板４０を起立状態に設けてあり、この下側引き戸Ａ”における遮光板４０に向き合う位置の上側引き戸Ａ’の下端面に、当該上側引き戸Ａ’の開け閉め方向に溝向きを向けた受け溝４１が、当該上側引き戸Ａ’の横幅にわたるように、すなわち、当該受け溝４１の両端を開口するように設けてある。
【０１３６】
かかる遮光板４０は、この図示例にあっては、前記固定ガイド部材１０による可動ガイド部材２０の支承側と反対側にあって、当該固定ガイド部材１０におけるガイド部１１による可動ガイド部材２０の支承の妨げとならないように当該下側引き戸Ａ”の上端面に、この下側引き戸Ａ”の横幅、すなわち、当該下側引き戸Ａ”の開け閉め動作方向Ｙ−Ｙの全幅にわたるように設けてあり、同様に、上側引き戸Ａ’の下端面における固定ガイド部材１０による可動ガイド部材２０の支承側と反対側にあって、当該固定ガイド部材１０におけるガイド部１１による可動ガイド部材２０の支承の妨げとならないように当該上側引き戸Ａ’の下端面に、この上側引き戸Ａ’の横幅、すなわち、当該上側引き戸Ａ’の開け閉め動作方向Ｙ−Ｙの全幅にわたるように、前記遮光板４０が都合よく入れ込まれる受け溝４１が、前記遮光板４０に向き合うように設けてある。
【０１３７】
かかる上側引き戸Ａ’と下側引き戸Ａ”を、前記開口部Ｃを閉め込むように移動した際に、この受け溝４１に遮光板４０が受け入れられて、上側引き戸Ａ’と下側引き戸Ａ”間における隙間が遮断され、光線漏れが防がれると共に、当該開口部Ｃを気密性よく閉じ込むことができる。
【０１３８】
ついで、図１９〜図２５に示される第４の典型的な実施の形態に係る引き戸Ａの案内構造について説明する。
【０１３９】
この図示例に係る引き戸Ａの案内構造は、壁Ｂに沿って引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【０１４０】
より、具体的には、壁Ｂに沿って引き込まれるように備えられて開口部Ｃの開け閉めをする引き戸Ａの案内構造であって、前記引き込まれる引き戸Ａの側方にある前記開口部Ｃ側の壁部Ｂ”に、当該引き戸Ａを開け閉め方向に案内する当該開け閉め方向に長いガイド部１１を備える固定ガイド部材１０が設けてあると共に、前記引き戸Ａに、前記ガイド部１１を受け入れる溝状ガイド部Ｈを備えており、
この溝状ガイド部Ｈが、溝向きを当該引き戸Ａにおける開け閉め動作方向Ｙ−Ｙにしたガイド溝２１と、このガイド溝２１に、前記ガイド部１１を受け入れる支承溝２２ｃを備えるスライダー２２を移動可能に組み付けた可動ガイド部材２０を備えており、
この可動ガイド部材２０のスライダー２２が、前記固定ガイド部材１０におけるガイド部１１をがたなく受け入れる支承溝２２ｃを長さ方向に備える樋状ガイド部２２ａと、当該樋状ガイド部２２ａの一端側に当該樋状ガイド部２２ａから側方に張り出す張出部２２ｂ’を備える頭部２２ｂとを有していると共に、
前記可動ガイド部材２０のガイド溝２１が、前記引き戸Ａの前記開口部Ｃに向けた引き出しに際して引き出し頭側Ａａとなる側から、引き出し尻側Ａｂに向けて備えられている当該引き出し頭側Ａａで塞がれた幅広ガイド溝部２１ａと、当該幅広ガイド溝部２１ａに連通して該幅広ガイド溝部２１ａの引き出し尻側から、当該引き戸Ａにおける引き出し尻側Ａｂに向けて備えられている幅狭ガイド溝部２１ｂとを備えており、
前記スライダー２２における前記頭部２２ｂを幅広ガイド溝部２１ａに当該幅広ガイド溝部２１ａにおける幅側においてほぼがた無く納め入れてあると共に、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記引き戸Ａが、前記スライダー２２の樋状ガイド部２２ａを前記幅狭ガイド溝部２１ｂに支承状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成してある。
【０１４１】
そして、この図示例に係る引き戸Ａの案内構造は、前記構成に係る引き戸Ａの案内構造において、前記開口部Ｃが床部Ｄと天井側とにわたるように設けてあり、当該開口部Ｃを、天井側に移動可能に吊り下げ設置されている上側引き戸Ａ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記可動ガイド部材２０が設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける溝状ガイド部Ｈを構成する可動ガイド部材２０のスライダー２２の支承溝２２ｃに受け入れられて前記各引き戸Ａを前記開口部Ｃの開け閉め方向に移動し得るようにしてあると共に、上側引き戸Ａ’の下側端部、下側引き戸Ａ”の上側端部とに、当該各引き戸Ａの厚幅方向で、互いに向き合うように重なりあう突き出し縁部４２を、当該引き戸Ａの横幅の、ほぼ全幅にわたるよう設けてある。
【０１４２】
この図１９〜図２５に示される引き戸Ａの案内構造にあっては、前記上側引き戸Ａ’の下側端部、下側引き戸Ａ”の上側端部とに、当該各引き戸Ａの厚幅方向で、互いに向き合うように重なりあう突き出し縁部４２を、当該引き戸Ａの横幅の、ほぼ全幅にわたるよう設けた以外の構成を前記図９〜図１８に示される第３の典型的な実施の形態に係る引き戸Ａの案内構造と同一、又は、実質的に同一の構成としてあり、同一態様で開口部Ｃの開け閉めに用いることができる。
【０１４３】
従って、前記図９〜図１８に示される第３の典型的な実施の形態に係る引き戸Ａにおける案内構造と同一又は実質的に同一の構成部分には、同一の番号を付して、その説明を省略する。
【０１４４】
かかる上側引き戸Ａ’の下側端部と、下側引き戸Ａ”の上側端部に備えられる突き出し縁部４２は、当該各引き戸Ａにおける厚幅方向で、互いに、向き合うように備えられており、この図示例にあっては、各固定ガイド部材１０のガイド部１１を受け入れて支承される可動ガイド部材２０の移動の妨げとならないように、当該各引き戸Ａにおける厚幅方向において各可動ガイド部材２０を挟むようにして、当該下側引き戸Ａ”の上端面に、その開け閉め方向に向けて、すなわち、当該引き戸Ａ”の横幅にわたるように一方の突き出し縁部４２を設けてあり、また、この下側引き戸Ａ”の突き出し縁部４２に向き合う他方の突き出し縁部４２を、上側引き戸Ａ’の下端面に、その開け閉め方向、すなわち、当該上側引き戸Ａ’の横幅にわたるように設けてある。
【０１４５】
かかる突き出し縁部４２は、この図示例にあっては、前記固定ガイド部材１０による下側引き戸Ａ”の可動ガイド部材２０の支承側と反対側にある当該下側引き戸Ａ”の上側端部の当該可動ガイド部材２０に沿った当該可動ガイド部材２０の側方部分と、前記固定ガイド部材１０による上側引き戸Ａ’の可動ガイド部材２０の支承側にある当該上側引き戸Ａ’の下側端部の当該可動ガイド部材２０に沿った当該可動ガイド部材２０の側方部分とに、当該固定ガイド部材１０におけるガイド部１１による可動ガイド部材２０の支承の妨げとならないように設けてある。
【０１４６】
かかる上側引き戸Ａ’と下側引き戸Ａ”を、前記開口部Ｃを閉め込むように移動した際に、この互いに可動ガイド部材２０を挟んで向きあうように備えられている各突き出し縁部４２が、上側引き戸Ａ’と下側引き戸Ａ”間の互いに向きあう端面間の空間を遮るように機能し、上側引き戸Ａ’と下側引き戸Ａ”間における隙間からの光線漏れを防ぐと共に、当該開口部Ｃを気密性よく閉じ込むことができる。
【０１４７】
ついで、図２６〜図３２に示される第５の典型的な実施の形態に係る引き戸Ａの案内構造について説明する。
【０１４８】
この図示例に係る引き戸Ａの案内構造は、壁Ｂ内に引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【０１４９】
より、具体的には、壁Ｂ内に引き込まれるように備えられて開口部Ｃの開け閉めをする引き戸Ａの案内構造であって、前記引き込まれる引き戸Ａの側方にある前記開口部Ｃ側の壁部Ｂ”に、当該引き戸Ａを開け閉め方向に案内する当該開け閉め方向に長いガイド部１１を備える固定ガイド部材１０が設けてあると共に、前記引き戸Ａに、前記ガイド部１１を受け入れる溝状ガイド部Ｈを備えており、
この溝状ガイド部Ｈが、溝向きを当該引き戸Ａにおける開け閉め動作方向Ｙ−Ｙにしたガイド溝２１と、このガイド溝２１に、前記ガイド部１１を受け入れる支承溝２２ｃを備えるスライダー２２を移動可能に組み付けた可動ガイド部材２０を備えており、
この可動ガイド部材２０のスライダー２２が、前記固定ガイド部材１０におけるガイド部１１をがたなく受け入れる支承溝２２ｃを長さ方向に備える樋状ガイド部２２ａと、当該樋状ガイド部２２ａの一端側に当該樋状ガイド部２２ａから側方に張り出す張出部２２ｂ’を備える頭部２２ｂとを有していると共に、
前記可動ガイド部材２０のガイド溝２１が、前記引き戸Ａの前記開口部Ｃに向けた引き出しに際して引き出し頭側Ａａとなる側から、引き出し尻側Ａｂに向けて備えられている当該引き出し頭側Ａａで塞がれた幅広ガイド溝部２１ａと、当該幅広ガイド溝部２１ａに連通して該幅広ガイド溝部２１ａの引き出し尻側から、当該引き戸Ａにおける引き出し尻側Ａｂに向けて備えられている幅狭ガイド溝部２１ｂとを備えており、
前記スライダー２２における前記頭部２２ｂを幅広ガイド溝部２１ａに当該幅広ガイド溝部２１ａにおける幅側においてほぼがた無く納め入れてあると共に、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記引き戸Ａが、前記スライダー２２の樋状ガイド部２２ａを前記幅狭ガイド溝部２１ｂに支承状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成してある。
【０１５０】
そして、この図示例に係る引き戸Ａの案内構造は、前記構成に係る引き戸Ａの案内構造において、前記開口部Ｃが床部Ｄと天井側とにわたるように設けてあり、当該開口部Ｃを、天井側に移動可能に吊り下げ設置されている上側引き戸Ａ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記溝状ガイド部Ｈを構成する可動ガイド部材２０が設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける前記溝状ガイド部Ｈを構成する可動ガイド部材２０のスライダー２２の支承溝２２ｃに受け入れられて前記各引き戸Ａを前記開口部Ｃの開け閉め方向に移動し得るようにしてある。
【０１５１】
この図２６〜図３２に示される引き戸Ａの案内構造にあっては、前記上側引き戸Ａ’と下側引き戸Ａ”とが、薄厚の引き込み部壁Ｂ’間に備えられる凹部状の引き込み空間Ｅに納め入れの状態から、開口部Ｃを開け閉めするように引き出し可能に設けてある以外の構成を前記図９〜図１８に示される第３の典型的な実施の形態に係る引き戸Ａの案内構造と同一、又は、実質的に同一の構成としてあり、同一態様で開口部Ｃの開け閉めに用いることができる。
【０１５２】
従って、前記図９〜図１８に示される第３の典型的な実施の形態に係る引き戸Ａにおける案内構造と同一又は実質的に同一の構成部分には、同一の番号を付して、その説明を省略する。
【０１５３】
この図２６〜図３２に示される第５の典型的な実施の形態に係る引き戸Ａは、間仕切り壁Ｂに備えられている凹状の引き込み空間Ｅに上側引き戸Ａ’と下側引き戸Ａ”とを前記第３の典型的な実施の形態に係る引き戸Ａと同様に引き込み、かつ、開口部Ｃの開け閉めをなすようにしてあり、開口部Ｃに連続する当該引き戸Ａの引き込み空間Ｅを間仕切り壁Ｂ内に備え得るように、当該間仕切り壁Ｂを一対の向き合った薄厚の引き込み部壁Ｂ’とし、この互いに向きあっている引き込み部壁Ｂ’間に、前記開口部Ｃに連通する凹状の引き込み空間Ｅを設けてある。
【０１５４】
また、この引き込み空間Ｅ内に上側引き戸Ａ’を引き込み得るレール３１を開口部Ｃから当該引き込み空間Ｅの内奥間にわたる天井側に設けてあり、下側引き戸Ａ”を案内するレール３０を開口部Ｃから当該引き込み空間Ｅの内奥間にわたるように設けてあって、固定ガイド部材１０で支承される可動ガイド部材２０を備える上側引き戸Ａ’と下側引き戸Ａ”とを前記第３の典型的な実施の形態に係る引き戸Ａと同様に備え付けてある。
【０１５５】
かかる引き込み部壁Ｂ’内の凹状引き込み空間Ｅに納め入れられる引き戸Ａは、当該引き戸Ａにおける引き出し頭側Ａａの側端面に、当該側端面に同面状態に納め入れうる引き手３４を設けてあり、必要に応じて、この引き手３４を引き出し用い得るように構成してある。
【０１５６】
また、この図示例に係る引き戸Ａを案内する固定ガイド部材１０は、引き戸Ａの開け閉め方向に長いガイド部１１を備えて構成してあると共に、引き戸Ａを挟む各引き込み部壁Ｂ’における開口部Ｃ側に設けてあり、上側引き戸Ａ’の開け閉め動作の支承をなす固定ガイド部材１０と、下側引き戸Ａ”の開け閉め動作の支承をなす固定ガイド部材１０とを一体に構成してある。
【０１５７】
この図示例に係る固定ガイド部材１０は、凹状をなす引き込み空間Ｅの奥行き方向に長い平板状取付板部１３ａを備える取付板１３と、この取付板１３の平板状取付板部１３ａに直交する向きに当該平板状取付板部１３ａの上下に突き出すガイド部１１とを備えており、このガイド部１１が各引き戸Ａにおける可動ガイド部材２０の支承溝２２ｃに受け入れられるように、当該固定ガイド部材１０を各引き戸Ａの側方にある壁部Ｂ”に取り付けてある。
【０１５８】
かかる固定ガイド部材１０は、その取り付け部分が凹状の引き込み空間Ｅであることから、引き込み部壁Ｂ’における互いに向きあっている面部に上側奥部が直角に屈曲される断面形状が直角三角形をなす取付溝１５を前もって設けておき、この取付溝１５に固定ガイド部材１０における取付片部を叩き込むように組み付けてある。
【０１５９】
かかる固定ガイド部材１０を構成する取付板１３は、例えば、平板状取付板部１３ａの長手縁、すなわち、叩き込み方向に沿った縁を下方に直角に屈曲し、かつ、この垂設片部１３ｂの下端から平板状取付板部１３ａに向けて折り返される屈曲折返部１３ｃとで、当該平板状取付板部１３ａの各長手縁に断面形状が、ほぼ直角三角形状の掛合部を設けてあり、また、この、平板状取付板部１３ａにおける叩き込み方向、すなわち、引き戸Ａの引き込み内外方向に向けて備えられるガイド部１１を当該平板状取付板部１３ａに一体に設けてある。
【０１６０】
かかるガイド部１１は、前記第３の典型的な実施の形態に係る引き戸Ａの案内構造のガイド部１１と同様の素材で、同様に構成することができる。
【０１６１】
ついで、図３３〜図３９に示される第６の典型的な実施の形態に係る引き戸Ａの案内構造について説明する。
【０１６２】
この図示例に係る引き戸Ａの案内構造は、壁Ｂ内に引き込まれるように備えられて開口部Ｃの開け閉めをする引き戸Ａの案内構造であって、前記引き込まれる引き戸Ａの側方にある前記開口部側の壁部Ｂ”に、当該引き戸Ａを開け閉め方向に案内する当該開け閉め方向に長いガイド部１１を備える固定ガイド部材１０が設けてあると共に、前記引き戸Ａに、溝向きを当該引き戸Ａにおける開け閉め動作方向Ｙ−Ｙにした溝状ガイド部Ｈが設けてあり、この溝状ガイド部Ｈに固定ガイド部材１０のガイド部１１を受け入れて当該引き戸Ａにより前記開口部Ｃの開け閉めをなし得るように構成してある。
【０１６３】
より、具体的には、壁Ｂ内に引き込まれるように備えられて開口部Ｃの開け閉めをする引き戸Ａの案内構造であって、前記引き込まれる引き戸Ａの側方にある前記開口部Ｃ側の壁部Ｂ”に、当該引き戸Ａを開け閉め方向に案内する当該開け閉め方向に長いガイド部１１を備える固定ガイド部材１０が設けてあると共に、前記引き戸Ａに、前記ガイド部１１を受け入れる溝状ガイド部Ｈを備えており、
この溝状ガイド部Ｈが、溝向きを当該引き戸Ａにおける開け閉め動作方向Ｙ−Ｙにしたガイド溝２１と、このガイド溝２１に、前記ガイド部１１を受け入れる支承溝２２ｃを備えるスライダー２２を移動可能に組み付けた可動ガイド部材２０を備えており、
この可動ガイド部材２０のスライダー２２が、前記固定ガイド部材１０におけるガイド部１１をがたなく受け入れる支承溝２２ｃを長さ方向に備える樋状ガイド部２２ａと、当該樋状ガイド部２２ａの一端側に当該樋状ガイド部２２ａから側方に張り出す張出部２２ｂ’を備える頭部２２ｂとを有していると共に、
前記可動ガイド部材２０のガイド溝２１が、前記引き戸Ａの前記開口部Ｃに向けた引き出しに際して引き出し頭側Ａａとなる側から、引き出し尻側Ａｂに向けて備えられている当該引き出し頭側Ａａで塞がれた幅広ガイド溝部２１ａと、当該幅広ガイド溝部２１ａに連通して該幅広ガイド溝部２１ａの引き出し尻側から、当該引き戸Ａにおける引き出し尻側Ａｂに向けて備えられている幅狭ガイド溝部２１ｂとを備えており、
前記スライダー２２における前記頭部２２ｂを幅広ガイド溝部２１ａに当該幅広ガイド溝部２１ａにおける幅側においてほぼがた無く納め入れてあると共に、当該幅広ガイド溝部２１ａ内にある前記頭部２２ｂの移動に伴って移動される当該スライダー２２の前記樋状ガイド部２２ａが前記幅狭ガイド溝部２１ｂにほぼがた無く納め入れ状態に支承されており、
前記引き戸Ａが、前記スライダー２２の樋状ガイド部２２ａを前記幅狭ガイド溝部２１ｂに支承状態で前記開口部Ｃを開き出し得ると共に、前記固定ガイド部材１０のガイド部１１を樋状ガイド部２２ａの支承溝２２ｃに受け入れた状態で当該開口部Ｃを閉じ込み得るように構成してある。
【０１６４】
そして、この図示例に係る引き戸Ａの案内構造は、前記構成に係る引き戸Ａの案内構造において、前記開口部Ｃが床部Ｄと天井側とにわたるように設けてあり、当該開口部Ｃを、天井側に移動可能に吊り下げ設置されている上側引き戸ＡＡ’と、床部Ｄに備えられる案内手段で案内されるように当該上側引き戸Ａ’の下方に備えられて当該上側引き戸Ａ’と共に当該開口部Ｃを閉じ込む下側引き戸Ａ”とで閉じ込み得るようにしてあると共に、当該開口部Ｃが上側引き戸Ａ’で閉じ込まれた際に、当該上側引き戸Ａ’の下方が通路用開口部Ｃをなすようにしてあり、
しかも、前記上側引き戸Ａ’における下部側と、下側引き戸Ａ”における上部側とに、それぞれ前記溝状ガイド部Ｈを構成する可動ガイド部材２０が設けてあり、
当該各引き戸Ａの側方にある前記開口部Ｃ側の壁部Ｂ”にそれぞれ固定ガイド部材１０が設けてあって、
当該各固定ガイド部材１０におけるガイド部１１が、当該各固定ガイド部材１０に対応して備えられている引き戸Ａにおける溝状ガイド部Ｈを構成する可動ガイド部材２０のスライダー２２の支承溝２２ｃに受け入れられて前記各引き戸Ａを前記開口部Ｃの開け閉め方向に移動し得るようにしてあると共に、上側引き戸Ａ’の下側端部、下側引き戸Ａ”の上側端部とに、当該各引き戸Ａの厚幅方向で、互いに向き合うように重なりあう突き出し縁部４２を、当該引き戸Ａの横幅の、ほぼ全幅にわたるよう設けてある。
【０１６５】
この図３３〜図３９に示される引き戸Ａの案内構造にあっては、前記上側引き戸Ａ’の下側端部、下側引き戸Ａ”の上側端部とに、当該各引き戸Ａの厚幅方向で、互いに向き合うように重なりあう突き出し縁部４２を、当該引き戸Ａの横幅の、ほぼ全幅にわたるよう設けた以外の構成を前記図２６〜図３２に示される第５の典型的な実施の形態に係る引き戸Ａの案内構造と同一、又は、実質的に同一の構成としてあり、同一態様で開口部Ｃの開け閉めに用いることができる。
【０１６６】
従って、前記図２６図〜図３２に示される第５の典型的な実施の形態に係る引き戸Ａにおける案内構造と同一又は実質的に同一の構成部分には、同一の番号を付して、その説明を省略する。
【０１６７】
かかる上側引き戸Ａ’の下側端部と、下側引き戸Ａ”の上側端部に備えられる突き出し縁部４２は、当該各引き戸Ａにおける厚幅方向で、互いに、向き合うように備えられており、この図示例にあっては、各固定ガイド部材１０のガイド部１１を受け入れて支承される可動ガイド部材２０の移動の妨げとならないように、当該各引き戸Ａにおける厚幅方向において各可動ガイド部材２０を挟むようにして、当該下側引き戸Ａ”の上端面に、その開け閉め方向に向けて、すなわち、当該引き戸Ａ”の横幅にわたるように一方の突き出し縁部４２を設けてあり、また、この下側引き戸Ａ”の突き出し縁部４２に向き合う他方の突き出し縁部４２を、上側引き戸Ａ’の下端面に、その開け閉め方向、すなわち、当該上側引き戸Ａ’の横幅にわたるように設けてある。
【０１６８】
かかる上側引き戸Ａ’の下側端部と、下側引き戸Ａ”の上側端部とに、互いに向き合うように突き出し縁部４２を備える構成の各引き戸Ａの可動ガイド部材２０を案内する固定ガイド部材１０は、この各突き出し縁部４２における突き出し寸法に相当する段差を前記平板状取付板部１３ａが備えるように構成してある。
【０１６９】
すなわち、この図示例に係る固定ガイド部材１０は、前記第５の典型的な実施の形態に係る引き戸Ａの案内構造の取付板１３の平板状取付板部１３ａを幅方向、すなわち、各壁部Ｂ”間にわたる向きで、一方側の平板状取付板部１３ａ’を、他方側の平板状取付板部１３ａ”よりも、前記突き出し縁部４２の突き出し寸法に対応して、一段低くなるように前記平板状取付板部１３ａに平行に設けてあり、かつ、この平板状取付板部１３ａにおけるほぼ中央部に、当該平板状取付板部１３ａの長手方向、すなわち、引き戸Ａの開け閉め方向に向けてガイド部１１を前記第５の典型的な実施の形態に係る固定ガイド部材１０と同様に設けてある。
【０１７０】
かかる上側引き戸Ａ’と下側引き戸Ａ”を、前記開口部Ｃを閉め込むように移動した際に、この互いに可動ガイド部材２０を挟んで向きあうように備えられている各突き出し縁部４２が、上側引き戸Ａ’と下側引き戸Ａ”間の互いに向きあう端面間の空間を遮るように機能し、上側引き戸Ａ’と下側引き戸Ａ”間における隙間からの光線漏れを防ぐと共に、当該開口部Ｃを気密性よく閉じ込むことができる。
【図面の簡単な説明】
【０１７１】
【図１】第１の典型的な引き戸の案内構造の要部の正面図
【図２】同開口部を開いた状態の要部の平断面図
【図３】同開口部を閉じた状態の要部の平断面図
【図４】同要部の縦断面図
【図５】同要部の拡大縦断面図
【図６】同下側引き戸の要部部品を分離し、固定ガイド部材と共に示した要部の斜視図
【図７】同上側引き戸の要部部品を分離した要部の斜視図
【図８】第２の典型的な引き戸の案内構造の要部拡大縦断面図
【図９】第３の典型的な引き戸の案内構造の要部の正面図
【図１０】同開口部を開いた状態の要部の平断面図
【図１１】同開口部を閉じた状態の要部の平断面図
【図１２】同開口部を開きつつある状態の平断面図
【図１３】同要部の縦断面図
【図１４】同要部の拡大縦断面図
【図１５】同他の要部部分の拡大縦断面図
【図１６】同下側引き戸の要部部品を分離し、固定ガイド部材と共に示した要部の斜視図
【図１７】同上側引き戸の要部部品を分離した要部の斜視図
【図１８】同吸着手段の要部を示す斜視図
【図１９】第４の典型的な引き戸の案内構造の要部の縦断面図
【図２０】同要部の拡大縦断面図
【図２１】同開口部を開いた状態の要部の平断面図
【図２２】同開口部を閉じた状態の要部の平断面図
【図２３】同開口部を開きつつある状態の平断面図
【図２４】同下側引き戸の要部部品を分離し、固定ガイド部材と共に示した要部の斜視図
【図２５】同上側引き戸の要部部品を分離した要部の斜視図
【図２６】第５の典型的な引き戸の案内構造の一部を破断して示す要部の斜視図
【図２７】同開口部を開いた状態の要部の平断面図
【図２８】同開口部を閉じた状態の要部の平断面図
【図２９】同開口部を開きつつある状態の平断面図
【図３０】同要部の拡大縦断面図
【図３１】同下側引き戸の要部部品を分離し、固定ガイド部材と共に示した要部の斜視図
【図３２】同上側引き戸の要部部品を分離した要部の斜視図
【図３３】第６の典型的な引き戸の案内構造の一部を破断して示す要部の斜視図
【図３４】同開口部を開いた状態の要部の平断面図
【図３５】同開口部を閉じた状態の要部の平断面図
【図３６】同開口部を開きつつある状態の平断面図
【図３７】同要部の拡大縦断面図
【図３８】同下側引き戸の要部部品を分離し、固定ガイド部材と共に示した要部の斜視図
【図３９】同上側引き戸の要部部品を分離した要部の斜視図
【符号の説明】
【０１７２】
Ａ  引き戸
Ｂ  壁
Ｃ  開口部
Ｄ  床部
Ｈ  溝状ガイド部
１０  固定ガイド部材
１１  ガイド部
２０  可動ガイド部材
２１  ガイド溝  
２１ａ  幅広ガイド溝部
２１ｂ  幅狭ガイド溝部
２２  スライダー
２２ａ  樋状ガイド部
２２ｂ  頭部
２２ｃ  支承溝
４０  遮光板
４１  受け溝
４２  突き出し縁部
５０  吸着手段
【図１】
2008208683.tif 000003
【図２】
2008208683.tif 000004
【図３】
2008208683.tif 000005
【図４】
2008208683.tif 000006
【図５】
2008208683.tif 000007
【図６】
2008208683.tif 000008
【図７】
2008208683.tif 000009
【図８】
2008208683.tif 000010
【図９】
2008208683.tif 000011
【図１０】
2008208683.tif 000012
【図１１】
2008208683.tif 000013
【図１２】
2008208683.tif 000014
【図１３】
2008208683.tif 000015
【図１４】
2008208683.tif 000016
【図１５】
2008208683.tif 000017
【図１６】
2008208683.tif 000018
【図１７】
2008208683.tif 000019
【図１８】
2008208683.tif 000020
【図１９】
2008208683.tif 000021
【図２０】
2008208683.tif 000022
【図２１】
2008208683.tif 000023
【図２２】
2008208683.tif 000024
【図２３】
2008208683.tif 000025
【図２４】
2008208683.tif 000026
【図２５】
2008208683.tif 000027
【図２６】
2008208683.tif 000028
【図２７】
2008208683.tif 000029
【図２８】
2008208683.tif 000030
【図２９】
2008208683.tif 000031
【図３０】
2008208683.tif 000032
【図３１】
2008208683.tif 000033
【図３２】
2008208683.tif 000034
【図３３】
2008208683.tif 000035
【図３４】
2008208683.tif 000036
【図３５】
2008208683.tif 000037
【図３６】
2008208683.tif 000038
【図３７】
2008208683.tif 000039
【図３８】
2008208683.tif 000040
【図３９】
2008208683.tif 000041